(57)【要約】本開示の様々な実施形態による、無線オーディオ／ビデオ記録及び通信機構を有する投光照明コントローラを提供する。一実施形態においては、投光照明装置を作動及び停止させる投光照明コントローラは、イメージセンサを含み、視野を有するカメラと、開いた状態と閉じた状態を有するスイッチと、カメラに動作可能に接続され、スイッチに動作可能に接続されるプロセッサとを含んでよく、プロセッサは、カメラからの入力を受信するように構成され、且つ、スイッチへの出力を生成して、スイッチを開いた状態から閉じた状態に移行させるように構成される。【選択図】図４
2019530130.tif 000002
【特許請求の範囲】
【請求項１】
投光照明装置を作動及び停止させる投光照明コントローラであって、
イメージセンサを含み、視野を有するカメラと、
開いた状態と閉じた状態とを有するスイッチと、
前記カメラに動作可能に接続され、前記スイッチに動作可能に接続されるプロセッサと、
を含み、
前記プロセッサは、前記カメラからの入力を受信するように構成され、且つ、前記スイッチに出力を生成して、前記スイッチを前記開いた状態から前記閉じた状態に移行させるように構成される、投光照明コントローラ。
【請求項２】
投光照明装置をさらに含み、
前記投光照明コントローラは、前記投光照明装置に動作可能に接続される、請求項１に記載の投光照明コントローラ。
【請求項３】
前記スイッチが、前記開いた状態から前記閉じた状態に移行する時、前記投光照明装置は、前記投光照明装置の少なくとも１つの投光照明を点灯するように作動される、請求項２に記載の投光照明コントローラ。
【請求項４】
無線トランシーバを含む通信モジュールをさらに含み、
前記通信モジュールは、前記投光照明コントローラの所にいる第１の人と、前記投光照明コントローラから遠隔にいる第２の人との間の双方向オーディオ通信を容易にするように構成される、請求項１に記載の投光照明コントローラ。
【請求項５】
前記投光照明コントローラの周囲のエリアからオーディオをキャプチャするように構成されたマイクロフォンをさらに含む、請求項４に記載の投光照明コントローラ。
【請求項６】
音を生成するように構成されたスピーカをさらに含む、請求項５に記載の投光照明コントローラ。
【請求項７】
前記通信モジュールは、前記カメラからネットワークにビデオ情報を送信するようにさらに構成される、請求項４に記載の投光照明コントローラ。
【請求項８】
少なくとも１つのモーションセンサをさらに含む、請求項１に記載の投光照明コントローラ。
【請求項９】
前記少なくとも１つのモーションセンサは、前記プロセッサに動作可能に接続され、
前記プロセッサは、前記少なくとも１つのモーションセンサからの入力を受信するように構成され、且つ、前記スイッチへの出力を生成して、前記スイッチを前記開いた状態から前記閉じた状態に移行させるように構成される、請求項８に記載の投光照明コントローラ。
【請求項１０】
前記イメージセンサは、ビデオ記録センサまたはカメラチップを含む、請求項１に記載の投光照明コントローラ。
【請求項１１】
前記イメージセンサが低い周囲光の条件で画像を撮影できるように前記視野を照らすように構成された少なくとも１つの赤外線（ＩＲ）発光コンポーネントをさらに含む、請求項１に記載の投光照明コントローラ。
【請求項１２】
前記投光照明コントローラの周囲のエリアからオーディオをキャプチャするように構成されたマイクロフォンをさらに含む、請求項１に記載の投光照明コントローラ。
【請求項１３】
音を生成するように構成されたスピーカをさらに含む、請求項１２に記載の投光照明コントローラ。
【請求項１４】
前記投光照明コントローラによってキャプチャされたオーディオ及び／またはビデオ情報を記憶するように構成されたストレージと、前記投光照明コントローラに電力を供給するように構成された電池とをさらに含む、請求項１に記載の投光照明コントローラ。
【請求項１５】
投光照明装置を作動及び停止するための投光照明コントローラであって、
ハウジングと、
イメージセンサを含み、視野を有するカメラと、
少なくとも１つのモーションセンサであって、前記ハウジングの先細の下部に隣接して位置する前記少なくとも１つのモーションセンサと、
を含み、
前記ハウジングの前記先細の下部は、前記少なくとも１つのモーションセンサが入射赤外（ＩＲ）光にさらされるのを可能にする開口部を含み、
前記開口部は、前記投光照明コントローラの垂直軸Ａに対して垂直でない平面Ｐにある、投光照明コントローラ。
【請求項１６】
前記平面Ｐは、前記ハウジングの後壁から前記ハウジングの前壁に向かって上方に傾斜する、請求項１５に記載の投光照明コントローラ。
【請求項１７】
前記開口部を覆うフレネルレンズをさらに含み、
前記フレネルレンズは、入射ＩＲ光を前記少なくとも１つのモーションセンサ上に集めることによって、前記少なくとも１つのモーションセンサの感度を向上させて動きを検出するように構成される、請求項１５に記載の投光照明コントローラ。
【請求項１８】
前記少なくとも１つのモーションセンサは、３つの受動型赤外線（ＰＩＲ）センサを含む、請求項１５に記載の投光照明コントローラ。
【請求項１９】
逆ピラミッド型ＰＩＲセンサホルダをさらに含み、
前記ＰＩＲセンサは、前記逆ピラミッド型ＰＩＲセンサホルダの３つの表面の周囲に配置される、請求項１８に記載の投光照明コントローラ。
【請求項２０】
前記逆ピラミッド型ＰＩＲセンサホルダの前記３つの表面は、前記ＰＩＲセンサを下向きの角度に向けるように構成される、請求項１９に記載の投光照明コントローラ。
【請求項２１】
前記ＰＩＲセンサは、前記投光照明コントローラの前方及び側方の周囲約２７０度のエリアの動きを検出するように構成される、請求項２０に記載の投光照明コントローラ。
【請求項２２】
前記ＰＩＲセンサは、前記ＰＩＲセンサの第１のＰＩＲセンサが前記投光照明コントローラの前方を向くように、配置される、請求項２０に記載の投光照明コントローラ。
【請求項２３】
前記ＰＩＲセンサは、前記ＰＩＲセンサの第２のＰＩＲセンサが、前記投光照明コントローラの右側の方を向くように、配置される、請求項２２に記載の投光照明コントローラ。
【請求項２４】
前記ＰＩＲセンサは、前記ＰＩＲセンサの第３のＰＩＲセンサが前記投光照明コントローラの左側の方を向くように、配置される、請求項２３に記載の投光照明コントローラ。
【請求項２５】
投光照明装置をさらに含み、前記投光照明コントローラは、前記投光照明装置を作動及び停止させるために、前記投光照明装置に動作可能に接続される、請求項１５に記載の投光照明コントローラ。
【請求項２６】
前記ハウジングは、前記カメラを前記視野に露出させるように構成されたカメラ開口部をさらに含む、請求項１５に記載の投光照明コントローラ。
【請求項２７】
前記ハウジングは、前記投光照明コントローラのマイクロフォンを露出させ、前記投光照明コントローラの周囲のエリアからのオーディオをキャプチャするように構成されたマイクロフォン開口部をさらに含む、請求項２６に記載の投光照明コントローラ。
【請求項２８】
前記ハウジングは、前記投光照明コントローラのスピーカを露出させ、前記投光照明コントローラの周囲の前記エリアに聞こえる音を生成するように構成されたスピーカ開口部をさらに含む、請求項２７に記載の投光照明コントローラ。
【請求項２９】
前記ハウジングは、前記投光照明コントローラの少なくとも１つのＩＲ発光コンポーネントを露出させ、前記イメージセンサが低い周囲光の条件で画像を撮影できるように前記視野を照らすように構成された第４の開口部をさらに含む、請求項２８に記載の投光照明コントローラ。
【請求項３０】
少なくとも１つの発光素子をさらに含む、請求項１５に記載の投光照明コントローラ。
【請求項３１】
前記少なくとも１つの発光素子は、少なくとも１つの発光ダイオード（ＬＥＤ）を含む、請求項３０に記載の投光照明コントローラ。
【請求項３２】
前記少なくとも１つの発光素子は、３つのＬＥＤを含む、請求項３１に記載の投光照明コントローラ。
【請求項３３】
前記少なくとも１つのＬＥＤは、複数の色で光を発するように構成される、請求項３１に記載の投光照明コントローラ。
【発明の詳細な説明】
【技術分野】
【０００１】
関連出願の相互参照
本出願は、２０１６年７月２６日に出願された仮出願番号第６２／３６７，０４５号、２０１６年１０月２０日に出願された仮出願番号第６２／４１０，７９０号、及び、２０１７年１月４日に出願された仮出願番号第６２／４４２，２１８号の優先権を主張する。優先出願の内容全体を、全てを記載したのと同様に、参照により本明細書に組み込む。
【０００２】
本実施形態は、保安灯システムと、無線オーディオ／ビデオ（Ａ／Ｖ）記録及び通信デバイスに関する。
【背景技術】
【０００３】
ホームセキュリティは、多くの住宅所有者及び賃借人の関心事である。外部照明システムには、動きを検出すると、ライトを作動させるモーションセンサを含むものもある。このような外部照明システムは、ライトが予期せず突然点灯して、強盗を企てる人を驚かせ得る。このようにして、これらのシステムは、住居内や住居周辺での犯罪を阻止できる。
【発明の概要】
【０００４】
無線オーディオ／ビデオ記録及び通信機構を有する本投光照明コントローラの様々な実施形態は、幾つかの特徴を有し、その特徴のどの１つも単独では所望の特性を示さない。以下の請求項に記載した本実施形態の範囲を限定することなく、卓越した特徴を簡単に記載する。記載を考慮し、特に、「発明を実施するための形態」の項を読めば、本実施形態の特徴が、どのように本明細書に記載の利点を提供するかを理解されよう。
【０００５】
本実施形態の一態様は、従来の外部照明システムが侵入者の阻止に辛うじて有効であり得るという認識を含む。例えば、外部照明システムのモーションセンサが、侵入者を検出すると、ライトが作動されてよく、これは、侵入者を驚かせ得る。しかし、慣れた強盗、及び、他の種類の犯罪者は、単にライトが点灯するだけでは驚かない場合がある。さらに、点灯した投光照明は、侵入者（複数可）が敷地に入った時に誰もいない場合、侵入や強盗から家屋敷を守るのにはほとんど役に立たない。本実施形態は、オーディオ／ビデオ（Ａ／Ｖ）記録及び通信機能を追加することによって、従来の外部照明システムのこれらの欠点に対処する。例えば、外部照明システムのモーションセンサが侵入者を検出すると、ライトが作動されてよく、それによって、侵入者を驚かせ得る。しかし、侵入者は、人間の声を聞くと、さらに驚く可能性が高く、従って、逃げる可能性も高くなる。従って、建物の所有者（または、賃借人）が照明システムの近くのエリアをライブで見るのを可能にするカメラと、建物の所有者（または、賃借人）が侵入者にライブで音声により警告を与えることを可能にするスピーカとを有する外部照明システムを備えると有利であろう。照明／監視システムがキャプチャしたオーディオ及び／またはビデオが、クラウドにアップロードされ、遠隔サーバに記録されると、さらに有利であろう。Ａ／Ｖ映像を後で見直すと、警察が住宅強盗や他の犯罪の犯人を捕らえる助けになる。さらに、住宅の外部に１つまたは複数の照明／監視装置が存在すると、強盗を企てる人に対して強力な阻止として働く。本実施形態の一部は、ユーザが投光照明コントローラから発せられる光及び／または音を遠隔で制御するのを可能にしてよく、それによって、本投光照明コントローラの侵入者を追い払う能力をさらに向上させ得る。
【０００６】
第１の態様において、投光照明装置を作動及び停止させる投光照明コントローラが提供される。投光照明コントローラは、イメージセンサを含み、視野を有するカメラと、開いた状態と閉じた状態とを有するスイッチと、カメラに動作可能に接続され、スイッチに動作可能に接続されるプロセッサとを含み、プロセッサは、カメラからの入力を受信するように構成され、スイッチへの出力を生成して、スイッチを開いた状態から閉じた状態に移行させるように構成される。
【０００７】
第１の態様の実施形態は、投光照明装置をさらに含み、投光照明コントローラは、投光照明装置に動作可能に接続される。
【０００８】
第１の態様の別の実施形態において、スイッチが開いた状態から閉じた状態に移行すると、投光照明装置が作動されて、投光照明装置の少なくとも１つの投光照明を点灯する。
【０００９】
第１の態様の別の実施形態は、無線トランシーバを含む通信モジュールをさらに含み、通信モジュールは、投光照明コントローラの所にいる第１の人と投光照明コントローラから遠隔にいる第２の人との間の双方向オーディオ通信を容易にするように構成される。
【００１０】
第１の態様の別の実施形態は、投光照明コントローラの周囲のエリアからのオーディオをキャプチャするように構成されたマイクロフォンをさらに含む。
【００１１】
第１の態様の別の実施形態は、音を生成するように構成されたスピーカをさらに含む。
【００１２】
第１の態様の別の実施形態において、通信モジュールは、ビデオ情報をカメラからネットワークに送信するようにさらに構成される。
【００１３】
第１の態様の別の実施形態は、少なくとも１つのモーションセンサをさらに含む。
【００１４】
第１の態様の別の実施形態において、少なくとも１つのモーションセンサは、プロセッサに動作可能に接続され、プロセッサは、少なくとも１つのモーションセンサからの入力を受信するように構成され、スイッチへの出力を生成して、スイッチを開いた状態から閉じた状態に移行させるように構成される。
【００１５】
第１の態様の別の実施形態において、イメージセンサは、ビデオ記録センサまたはカメラチップを含む。
【００１６】
第１の態様の別の実施形態は、少なくとも１つの赤外線（ＩＲ）発光コンポーネントをさらに含む。赤外線（ＩＲ）発光コンポーネントは、視野を照らすように構成されて、イメージセンサが低い周囲光の条件で画像を撮影するのを可能にする。
【００１７】
第１の態様の別の実施形態は、投光照明コントローラの周囲のエリアからオーディオをキャプチャするように構成されたマイクロフォンをさらに含む。
【００１８】
第１の態様の別の実施形態は、音を生成するように構成されたスピーカをさらに含む。
【００１９】
第１の態様の別の実施形態は、投光照明コントローラによってキャプチャされたオーディオ及び／またはビデオ情報を記憶するように構成されたストレージと、投光照明コントローラに電力を供給するように構成された電池とをさらに含む。
【００２０】
第２の態様において、投光照明装置を作動及び停止させるための投光照明コントローラが提供される。投光照明コントローラは、イメージセンサを含み、視野を有するカメラと、少なくとも１つのモーションセンサと、開いた状態と閉じた状態とを有するスイッチと、少なくとも１つのモーションセンサに動作可能に接続され、スイッチに動作可能に接続されたプロセッサとを含み、プロセッサは、少なくとも１つのモーションセンサから入力を受信するように構成され、スイッチへの出力を生成して、スイッチを開いた状態から閉じた状態に移行させるように構成される。
【００２１】
第２の態様の実施形態は、投光照明装置をさらに含み、投光照明コントローラは、投光照明装置に動作可能に接続される。
【００２２】
第２の態様の別の実施形態においては、スイッチが開いた状態から閉じた状態に移行すると、投光照明装置が作動されて投光照明装置の少なくとも１つの投光照明を点灯させる。
【００２３】
第２の態様の別の実施形態は、無線トランシーバを含む通信モジュールをさらに含み、通信モジュールは、投光照明コントローラの所にいる第１の人と投光照明コントローラから遠隔にいる第２の人との間の双方向オーディオ通信を容易にするように構成される。
【００２４】
第２の態様の別の実施形態は、投光照明コントローラの周囲のエリアからオーディオをキャプチャするように構成されたマイクロフォンをさらに含む。
【００２５】
第２の態様の別の実施形態は、音を生成するように構成されたスピーカをさらに含む。
【００２６】
第２の態様の別の実施形態においては、通信モジュールは、カメラからネットワークにビデオ情報を送信するようにさらに構成される。
【００２７】
第２の態様の別の実施形態においては、イメージセンサは、ビデオ記録センサまたはカメラチップを含む。
【００２８】
第２の態様の別の実施形態は、少なくとも１つの赤外線（ＩＲ）発光コンポーネントをさらに含む。赤外線（ＩＲ）発光コンポーネントは、視野を照らすように構成されて、イメージセンサが低い周囲光の条件で画像を撮影するのを可能にする。
【００２９】
第２の態様の別の実施形態は、投光照明コントローラの周囲のエリアからオーディオをキャプチャするように構成されたマイクロフォンをさらに含む。
【００３０】
第２の態様の別の実施形態は、音を生成するように構成されたスピーカをさらに含む。
【００３１】
第２の態様の別の実施形態は、投光照明コントローラによってキャプチャされたオーディオ及び／またはビデオ情報を記憶するように構成されたストレージと、投光照明コントローラに電力を供給するように構成された電池とをさらに含む。
【００３２】
第３の態様においては、投光照明アセンブリが提供される。投光照明アセンブリは、少なくとも１つの投光照明を有する投光照明装置であって、少なくとも１つの投光照明は、オフ状態とオン状態を有する、投光照明装置と、少なくとも１つの投光照明をオン、オフにする投光照明コントローラとを含み、投光照明コントローラは、イメージセンサを含み、視野を有するカメラであって、視野内の動きを検出するように構成されたカメラと、開いた状態と閉じた状態とを有するスイッチであって、スイッチが開いた状態の時、投光照明装置の少なくとも１つの投光照明はオフ状態で、スイッチが閉じた状態の時、投光照明装置の少なくとも１つの投光照明はオン状態である、スイッチと、カメラに動作可能に接続され、スイッチに動作可能に接続されるプロセッサであって、視野内で動きが検出されると、カメラから入力を受信するように構成され、スイッチへの出力を生成して、スイッチを開いた状態から閉じた状態に移行させることによって、投光照明装置の少なくとも１つの投光照明をオンにするように構成されるプロセッサとを含む。
【００３３】
第３の態様の実施形態において、投光照明コントローラは、無線トランシーバを含む通信モジュールをさらに含み、通信モジュールは、投光照明コントローラの所にいる第１の人と投光照明コントローラから遠隔にいる第２の人との間の双方向オーディオ通信を容易にするように構成される。
【００３４】
第３の態様の別の実施形態において、投光照明コントローラは、投光照明コントローラの周囲のエリアからオーディオをキャプチャするように構成されたマイクロフォンをさらに含む。
【００３５】
第３の態様の別の実施形態において、投光照明コントローラは、音を生成するように構成されたスピーカをさらに含む。
【００３６】
第３の態様の別の実施形態において、通信モジュールは、カメラからネットワークにビデオ情報を送信するようにさらに構成される。
【００３７】
第３の態様の別の実施形態において、投光照明コントローラは、少なくとも１つのモーションセンサをさらに含む。
【００３８】
第３の態様の別の実施形態において、少なくとも１つのモーションセンサは、プロセッサに動作可能に接続され、プロセッサは、少なくとも１つのモーションセンサから入力を受信するように構成され、スイッチへの出力を生成して、スイッチを開いた状態から閉じた状態に移行させることによって、投光照明装置の少なくとも１つの投光照明をオンにするように構成される。
【００３９】
第３の態様の別の実施形態において、カメラのイメージセンサは、ビデオ記録センサまたはカメラチップを含む。
【００４０】
第３の態様の別の実施形態において、投光照明コントローラは、少なくとも１つの赤外線（ＩＲ）発光コンポーネントをさらに含む。赤外線（ＩＲ）発光コンポーネントは、視野を照らすように構成されて、イメージセンサが低い周囲光の条件で画像を撮影するのを可能にする。
【００４１】
第３の態様の別の実施形態において、投光照明コントローラは、投光照明コントローラの周囲のエリアからオーディオをキャプチャするように構成されたマイクロフォンをさらに含む。
【００４２】
第３の態様の別の実施形態において、投光照明コントローラは、音を生成するように構成されたスピーカをさらに含む。
【００４３】
第３の態様の別の実施形態において、投光照明コントローラは、投光照明コントローラによってキャプチャされたオーディオ及び／またはビデオ情報を記憶するように構成されたストレージと、投光照明コントローラに電力を供給するように構成された電池とをさらに含む。
【００４４】
第４の態様においては、投光照明装置を作動及び停止させるための投光照明コントローラが提供される。投光照明コントローラは、ハウジングと、イメージセンサを含み、視野を有するカメラと、少なくとも１つのモーションセンサとを含み、少なくとも１つのモーションセンサは、ハウジングの先細の下部に隣接して配置され、ハウジングの先細の下部は、少なくとも１つのモーションセンサを入射赤外（ＩＲ）光に露出させるのを可能にする開口部を含み、開口部は、投光照明コントローラの垂直軸Ａに対して垂直でない平面Ｐにある。
【００４５】
第４の態様の実施形態において、平面Ｐは、ハウジングの後壁からハウジングの前壁に向かって上方に傾斜する。
【００４６】
第４の態様の別の実施形態は、開口部を覆うフレネルレンズをさらに含み、フレネルレンズは、入射ＩＲ光を少なくとも１つのモーションセンサ上に集めるように構成されて、少なくとも１つのモーションセンサの動きを検出する感度を向上させる。
【００４７】
第４の態様の別の実施形態において、少なくとも１つのモーションセンサは、３つの受動型赤外線（ＰＩＲ）センサを含む。
【００４８】
第４の態様の別の実施形態は、逆ピラミッド型ＰＩＲセンサホルダをさらに含み、ＰＩＲセンサは、逆ピラミッド型ＰＩＲセンサホルダの３つの表面の周囲に配置される。
【００４９】
第４の態様の別の実施形態においては、逆ピラミッド型ＰＩＲセンサホルダの３つの表面は、ＰＩＲセンサを下向きの角度に向けるように構成される。
【００５０】
第４の態様の別の実施形態においては、ＰＩＲセンサは、投光照明コントローラの前方と側方の約２７０度のエリアの動きを検出するように構成される。
【００５１】
第４の態様の別の実施形態においては、ＰＩＲセンサは、ＰＩＲセンサの第１のＰＩＲセンサが投光照明コントローラの前方を向くように、配置される。
【００５２】
第４の態様の別の実施形態においては、ＰＩＲセンサは、ＰＩＲセンサの第２のＰＩＲセンサが投光照明コントローラの右側の方を向くように、配置される。
【００５３】
第４の態様の別の実施形態においては、ＰＩＲセンサは、ＰＩＲセンサの第３のＰＩＲセンサが投光照明コントローラの左側の方を向くように、配置される。
【００５４】
第４の態様の別の実施形態は、投光照明装置をさらに含み、投光照明コントローラは、投光照明装置を作動及び停止させるために、投光照明装置に動作可能に接続される。
【００５５】
第４の態様の別の実施形態においては、ハウジングは、カメラを視野に露出させるように構成されたカメラ開口部をさらに含む。
【００５６】
第４の態様の別の実施形態においては、ハウジングは、投光照明コントローラの周囲のエリアからオーディオをキャプチャするように投光照明コントローラのマイクロフォンを露出させるように構成されたマイクロフォン開口部をさらに含む。
【００５７】
第４の態様の別の実施形態においては、ハウジングは、投光照明コントローラの周囲のエリアに聞こえる音を生成するように投光照明コントローラのスピーカを露出させるように構成されたスピーカ開口部をさらに含む。
【００５８】
第４の態様の別の実施形態においては、ハウジングは、第４の開口部をさらに含み、第４の開口部は、投光照明コントローラの少なくとも１つのＩＲ発光コンポーネントを視野を照らすように露出させるように構成されて、イメージセンサが低い周囲光の条件で画像を撮影するのを可能にする。
【００５９】
第４の態様の別の実施形態は、少なくとも１つの発光素子をさらに含む。
【００６０】
第４の態様の別の実施形態においては、少なくとも１つの発光素子は、少なくとも１つの発光ダイオード（ＬＥＤ）を含む。
【００６１】
第４の態様の別の実施形態においては、少なくとも１つの発光素子は、３つのＬＥＤを含む。
【００６２】
第４の態様の別の実施形態においては、少なくとも１つのＬＥＤは、複数の色で光を発するように構成される。
【００６３】
無線オーディオ／ビデオ（Ａ／Ｖ）記録及び通信機構を有する本投光照明コントローラの様々な実施形態を有利な特徴を目立たせるように強調して詳細に記載する。これらの実施形態は、添付図面に示す無線Ａ／Ｖ記録及び通信機構を有する新規の非自明な投光照明コントローラを描くが、それらは、説明のみを目的としている。これらの図面は、以下の図を含み、類似の数字は類似の部分を表す。
【図面の簡単な説明】
【００６４】
【図１】本実施形態による、無線Ａ／Ｖ記録及び通信機構を有する投光照明コントローラを含む装置のネットワークを示す機能ブロック図である。
【図２】本開示の様々な態様による、投光照明コントローラからのＡ／Ｖコンテンツをストリーミング及び記憶するプロセスを示すフローチャートである。
【図３】本開示による、無線Ａ／Ｖ記録及び通信機構を有する投光照明コントローラの一実施形態の機能ブロック図である。
【図４】本開示による、無線Ａ／Ｖ記録及び通信機構を有する投光照明コントローラの一実施形態の上部正面斜視図である。
【図５】図４の無線Ａ／Ｖ記録及び通信機構を有する投光照明コントローラから幾つかの正面を向いているコンポーネントを取り除いた上部正面斜視図である。
【図６】図４の無線Ａ／Ｖ記録及び通信機構を有する投光照明コントローラから幾つかの外側のコンポーネントを取り除いた正面左斜視図である。
【図７】図４の無線Ａ／Ｖ記録及び通信機構を有する投光照明コントローラから幾つかの外側のコンポーネントを取り除いた正面右斜視図である。
【図８】図４の無線Ａ／Ｖ記録及び通信機構を有する投光照明コントローラから下部のカバーを取り除いた下部正面斜視図である。
【図９】図４の無線Ａ／Ｖ記録及び通信機構を有する投光照明コントローラの右側立面図である。
【図１０】本開示による、投光照明装置と組み合わせた図４の無線Ａ／Ｖ記録及び通信機構を有する投光照明コントローラの正面図である。
【図１１】本開示の様々な態様による、無線Ａ／Ｖ記録及び通信機構を有する投光照明コントローラの別の実施形態の機能ブロック図である。
【図１２】本開示の様々な態様による、投光照明コントローラを用いてＡ／Ｖコンテンツを記録及び記憶するプロセスを示すフローチャートである。
【図１３】本開示による、無線Ａ／Ｖ記録及び通信機構を有する投光照明コントローラの別の実施形態の上部正面斜視図である。
【図１４】図１３の無線Ａ／Ｖ記録及び通信機構を有する投光照明コントローラの右側立面図である。
【図１５】図１３の無線Ａ／Ｖ記録及び通信機構を有する投光照明コントローラの左側立面図である。
【図１６】本開示による、無線Ａ／Ｖ記録及び通信機構を有する投光照明コントローラの別の実施形態の下部正面斜視図である。
【図１７】本開示の様々な態様による、本実施形態を実施し得るクライアントデバイスの機能ブロック図である。
【図１８】本開示の様々な態様による、本実施形態を実施し得る汎用コンピューティングシステムの機能ブロック図である。
【発明を実施するための形態】
【００６５】
以下の詳細な記載は、図面を参照して本実施形態を記載したものである。図中、参照番号は、本実施形態の要素にラベルを付けている。これらの参照番号は、対応する図面の特徴の説明との関連で以下に繰り返される。
【００６６】
無線オーディオ／ビデオ（Ａ／Ｖ）記録及び通信機構を有する本投光照明コントローラの実施形態を図面を参照して以下に記載する。これらの図面及びそれに関する記載は、装置のあるコンポーネントは一体的に形成され、他のコンポーネントは、別個のコンポーネントとして形成されることを示している。一体的に形成されるとして本明細書に示し、記載されるコンポーネントは、代替実施形態においては、別個のコンポーネントとして形成されてよいことを、当業者は理解されよう。別個のコンポーネントとして形成されるとして本明細書に示され、記載されるコンポーネントは、他の実施形態においては、一体的に形成されてよいことも、当業者は理解されよう。さらに、本明細書において使用されるとき、一体的という語は、１つに統一されたものであることを示す。
【００６７】
住宅や事業所等の多くの建物は、屋外保安灯を備える。一般的な屋外保安灯装置は、１つまたは複数の投光照明と、動きが検出されると投光照明を点灯させるモーションセンサとを含む。こうして、屋外保安灯装置は、屋外保安灯装置のモーションセンサが侵入者の動きを検出すると、突然の予期せぬ照明が点灯することによって驚いた侵入者を追い払うことによって、犯罪を阻止することができる。
【００６８】
しかしながら、一般的屋外保安灯装置の抑止効果は、限られている。決意の固い犯罪者は、特に、建物に現在、人がいないと考える場合、単に照明だけで阻止される可能性は低い。本実施形態は、オーディオ機能とビデオ機能を追加することによって、屋外保安灯装置の抑止効果を強化する。例えば、本実施形態の一部は、カメラと、無線通信モジュールとを含み、無線通信モジュールは、ユーザが、スマートフォン等のコンピューティングデバイスを用いて、カメラの視野内の侵入者のライブストリーミングビデオを受信するのを可能にする。このようにして、住宅（または、カメラが配置されるあらゆる種類の敷地にいない時）にユーザがいない時でさえ、侵入者を観察できる。本実施形態の一部は、ユーザが侵入者に話しかけるのを可能にするスピーカも含む。このようにして、ユーザは、ライブで口頭による警告を侵入者に与えることができ、それによって、ユーザがどこか他の場所にいる時でさえ、ユーザが敷地内にいるという幻想を作り出す。侵入者が騙されて、その敷地の所有者がいると考えると、侵入者が逃げる可能性が高くなる。カメラが撮影した映像は、ユーザのコンピューティングデバイスにストリーミングされることに加えて、クラウドにアップロードされてもよく、後に、侵入者の識別、逮捕、及び／または、有罪判定に使用されてよい。本実施形態の一部は、既存の屋外保安灯装置に接続できる小型ユニットに、カメラ、無線通信モジュール、スピーカ、及び、他のコンポーネントを含む。例えば、本実施形態の一部は、モーションセンサの代わりとして、既存の屋外保安灯装置に一体化されてよい。
【００６９】
図１を参照すると、本実施形態は、無線Ａ／Ｖ記録及び通信機構を有する投光照明コントローラ１００を含む。投光照明コントローラ１００は、１つまたは複数の投光照明（後の図に示す）を含む投光照明装置１０２と共に使用するように構成される。投光照明コントローラ１００と投光照明装置１０２は、住居、事業所、倉庫等、構造物（図示せず）の外部に、または、その周辺に配置されてよい。投光照明コントローラ１００及び投光照明装置１０２は、住居、事業所、倉庫等、構造物（図示せず）の内部にも配置されてよい。
【００７０】
以下に詳細に記載するように、投光照明コントローラ１００は、投光照明コントローラ１００の周囲のエリアで動きが検出されると、投光照明装置１０２の投光照明を作動（点灯）するように構成される。投光照明コントローラ１００は、投光照明コントローラ１００の周囲のエリアからビデオを記録するようにさらに構成され、ある実施形態においては、投光照明コントローラ１００の周囲のエリアにいる第１の人と、投光照明コントローラ１００の周囲のエリアから遠隔にいる第２の人との間の双方向オーディオ通信も可能にしてよい。
【００７１】
図１を参照すると、投光照明コントローラ１００は、カメラ１０４、マイクロフォン１０６、及び、スピーカ１０８を含む。カメラ１０４は、例えば、画像表示解像度１０８０ｐ以上でビデオ画像を撮影できるカメラ等、高解像度（ＨＤ）ビデオカメラを含んでよい。図１には示していないが、投光照明コントローラ１００は、ハウジング、１つまたは複数のモーションセンサ（及び／または、他の種類のセンサ）、無線通信モジュール等、他のハードウェア及び／またはコンポーネントも含んでよい。これらの他のハードウェア及び／またはコンポーネントの１つまたは複数は、図３等を参照して以下に記載する。
【００７２】
図１をさらに参照すると、投光照明コントローラ１００は、ユーザネットワーク１１０と通信する。ユーザネットワーク１１０は、例えば、有線及び／または無線のネットワークであってよい。ユーザネットワーク１１０が無線の場合、または、無線コンポーネントを含む場合、ネットワーク１１０は、ＩＥＥＥ８０２．１１規格及び／または他の無線通信規格（複数可）に対応したＷｉ−Ｆｉネットワークであってよい。ユーザネットワーク１１０は、他のネットワーク１１２に接続され、ネットワーク１１２は、例えば、インターネット、及び／または、公衆交換電話網（ＰＳＴＮ）を含んでよい。以下に記載のように、投光照明コントローラ１００は、ユーザのクライアントデバイス１１４とユーザネットワーク１１０及びネットワーク１１２（インターネット／ＰＳＴＮ）を介して通信してよい。ユーザのクライアントデバイス１１４は、例えば、スマートフォン、パーソナルデジタルアシスタント（ＰＤＡ）等、携帯電話（セルラー電話と呼ばれることもある）、コンピュータ（例えば、タブレット、ラップトップ、デスクトップ等）、または、他の通信デバイスを含んでよい。ユーザのクライアントデバイス１１４は、ストリーミング及び／または記録されたビデオ画像を表示できるディスプレイ（図１には示さず）と関連コンポーネントとを含む。ユーザのクライアントデバイス１１４は、ストリーミング及び／または記録されたオーディオをブロードキャストできるスピーカと関連コンポーネントとも含んでよく、マイクロフォンも含んでよい。投光照明コントローラ１００は、また、１つまたは複数の遠隔記憶装置（複数可）１１６（交換可能に「クラウド記憶装置（複数可）」と呼ばれることもある）、１つまたは複数のサーバ１１８、及び／または、バックエンドＡＰＩ（アプリケーションプログラミングインタフェース）１２０と、ユーザネットワーク１１０とネットワーク１１２（インターネット／ＰＳＴＮ）とを介して通信してよい。図１は、記憶装置１１６、サーバ１１８、及び、バックエンドＡＰＩ１２０を、ネットワーク１１２とは別個のコンポーネントとして示すが、記憶装置１１６、サーバ１１８、及び／または、バックエンドＡＰＩ１２０は、ネットワーク１１２のコンポーネントであると考えてよいことは理解すべきである。
【００７３】
ネットワーク１１２は、図１に示す上記モジュール、デバイス、及び、システムを動作可能に結合するように構成された任意の無線ネットワーク、任意の有線ネットワーク、または、それらの組み合わせであってよい。例えば、ネットワーク１１２は、以下の１つまたは複数を含んでよい。すなわち、ＰＳＴＮ（公衆交換電話網）、インターネット、ローカルイントラネット、ＰＡＮ（パーソナルエリアネットワーク）、ＬＡＮ（ローカルエリアネットワーク）、ＷＡＮ（広域ネットワーク）、ＭＡＮ（メトロポリタンエリアネットワーク）、仮想プライベートネットワーク（ＶＰＮ）、ストレージエリアネットワーク（ＳＡＮ）、フレームリレー接続、高度インテリジェントネットワーク（ＡＩＮ）接続、同期型光ネットワーク（ＳＯＮＥＴ）接続、デジタルＴｌ、Ｔ３、Ｅｌ、もしくは、Ｅ３ライン、デジタルデータサービス（ＤＤＳ）接続、ＤＳＬ（デジタル加入者回線）接続、イーサネット（登録商標）接続、ＩＳＤＮ（総合デジタル通信網）ライン、Ｖ.９０、Ｖ.３４、もしくは、Ｖ.３４ｂｉｓアナログモデム接続等のダイヤルアップポート、ケーブルモデム、ＡＴＭ（非同期転送モード）接続、または、ＦＤＤＩ（光ファイバ分散データインタフェース）もしくはＣＤＤＩ（Ｃｏｐｐｅｒ  Ｄｉｓｔｒｉｂｕｔｅｄ  Ｄａｔａ  Ｉｎｔｅｒｆａｃｅ）接続の１つまたは複数を含んでよい。さらに、通信は、ＷＡＰ（無線アプリケーションプロトコル）、ＧＰＲＳ（汎用パケット無線サービス）、ＧＳＭ（グローバル・システム・フォー・モバイル・コミュニケーションズ）、ＣＤＭＡ（符号分割多重アクセス）、ＴＤＭＡ（時分割多重アクセス）、ＦＤＭＡ（周波数分割多重アクセス）、及び／または、ＯＦＤＭＡ（直交周波数分割多重アクセス）セルラー電話網、ＧＰＳ、ＣＤＰＤ（セルラーデジタルパケットデータ）、ＲＩＭ（リサーチ・イン・モーション・リミテッド）デュプレックスページングネットワーク、ブルートゥース無線、または、ＩＥＥＥ８０２．１１ベースの無線周波数ネットワークを含む、様々な無線ネットワークのいずれかへのリンクも含んでよい。ネットワークは、さらに、ＲＳ−２３２シリアル接続、ＩＥＥＥ−１３９４（ファイヤワイヤ）接続、ファイバチャネル接続、ＩｒＤＡ（赤外線）ポート、ＳＣＳＩ（スモールコンピュータシステムインタフェース）接続、ＵＳＢ（ユニバーサルシリアルバス）接続、または、他の有線もしくは無線、デジタルもしくはアナログのインタフェースもしくは接続、メッシュもしくはＤｉｇｉ（登録商標）ネットワークの任意の１つまたは複数をさらに含むことができる、または、それらとインタフェースできる。
【００７４】
本実施形態の１つまたは複数の態様によると、人（交換可能に「訪問者」と呼ばれることもある）が投光照明コントローラ１００の周囲のエリアに入ると、投光照明コントローラ１００が、訪問者の存在を検出する。投光照明コントローラ１００は、以下に記載のように、カメラ１０４及び／またはモーションセンサを用いて、訪問者の存在を検出してよい。カメラ１０４は、カメラ１０４の視野内のビデオ画像を撮影してよく、それによって、訪問者のビデオ画像を撮影してよい。ビデオの記録／撮影は、訪問者が検出された時に開始されてよい、または、以下に記載のように、その前に開始されてよい。投光照明コントローラ１００は、マイクロフォン１０６を通してオーディオもキャプチャしてよい。
【００７５】
ある実施形態においては、カメラ１０４は、カメラ１０４が、関心エリアに視野をフォーカスする、及び／または、関心エリアを拡大するのを可能にする、デジタルズーム及び／またはパニング等のズーム及び／またはパニング機能を有してよい。ズーム及び／またはパニングは、ある実施形態においては、ユーザのクライアントデバイス１１４を通してユーザによって制御されてよい。また、ある実施形態においては、カメラ１０４は、カメラの視野内で人（複数可）が動くと、カメラ１０４が人（複数可）に視野を自動的にフォーカス及び／または拡大する、及び／または、人（複数可）の動きを追うのを可能にする「スマート」ズーム及び／またはパニング機能を有してよい。例えば、カメラ１０４は、人間の顔を検出できてよく、検出された人間の顔（複数可）に自動的に視野をフォーカス、及び／または、拡大できてよく、及び／または、検出した人間の顔（複数可）の動きを追うことができてよい。別の例においては、カメラ１０４は、その視野内の人間をその視野内の人間以外の物体と区別できてよい。カメラ１０４は、視野内の人間でない物体のあらゆる検出を無視して、あらゆる検出された人間の動きを検出及び／または追跡するようにさらに構成されてよい。
【００７６】
訪問者の検出に応答して、投光照明コントローラ１００は、関連する投光照明装置の少なくとも１つの投光照明をオンにして、投光照明コントローラ１００の周囲のエリアを照らす。投光照明コントローラ１００は、ユーザネットワーク１１０とネットワーク１１２とを介してユーザのクライアントデバイス１１４（図１）にアラートも送信する。投光照明コントローラ１００は、ユーザネットワーク１１０とネットワーク１１２とを介してユーザのクライアントデバイス１１４に、ストリーミングビデオも送信し、ストリーミングオーディオも送信してよい。ユーザがアラートに答える場合、双方向オーディオ通信が、投光照明コントローラ１００とユーザのクライアントデバイス１１４を通して訪問者とユーザの間で行われてよい。ユーザは、コールの持続期間中、訪問者を観察し得るが、訪問者は、ユーザを見ることができない。
【００７７】
投光照明コントローラ１００のカメラ１０４によって撮影されたビデオ画像（及び、マイクロフォン１０６によってキャプチャされたオーディオ）は、クラウドにアップロードされてよく、遠隔記憶装置１１６（図１）に記憶されてよい。ある実施形態においては、ビデオ及び／またはオーディオは、ユーザが自分のクライアントデバイス１１４に送信されたアラートを無視することを選択しても、遠隔記憶装置１１６に記録されてよい。上記のように、ある実施形態においては、カメラ１０４は、「スマート」ズーム及び／またはパニング機能を有してよい。例えば、カメラ１０４は、顔認識が可能であってよく、カメラ１０４がカメラの視野内で人（複数可）が動くとき、自動的に、人の顔に視野をフォーカス及び／または拡大する、及び／または、人（複数可）の動きを追うのを可能にする。カメラ１０４の視野内の人が侵入者である場合、その人の顔のビデオ画像は、侵入者の識別に役立つ場合があり、これは、侵入者を捕える助けになり得る。別の例においては、カメラ１０４は、その視野内の人間を、その視野内の人間以外の物体と区別できてよい。カメラ１０４は、視野内の人間でない物体のあらゆる検出を無視して、あらゆる検出された人間の動きを検出及び／または追跡するようにさらに構成されてよい。他の実施形態においては、カメラ１０４のズーム及び／またはパニング機能は、クライアントデバイス１１４で実行するアプリケーションを用いて、ユーザのクライアントデバイス１１４を通してユーザによって制御されてよい。
【００７８】
図１をさらに参照すると、システムは、１つまたは複数のコンポーネントを含むバックエンドＡＰＩ１２０をさらに含んでよい。バックエンドＡＰＩ（アプリケーションプログラミングインタフェース）は、例えば、サーバ（例えば、実サーバ、または、仮想マシン、または、クラウドインフラストラクチャでサービスとして実行しているマシン）、または、一緒にネットワーク化された複数のサーバを含んでよく、少なくとも１つのＡＰＩがアクセスするクライアント（複数可）に示される。これらのサーバは、キャッシング層、または、データベース層、または、他のコンポーネント等、含まれる他のコンポーネントが何であるかに応じて、アプリケーションサーバ（例えば、ソフトウェアサーバ）等のコンポーネントを含んでよい。バックエンドＡＰＩは、例えば、多くのこのようなアプリケーションを含んでよく、各アプリケーションは、パブリックＡＰＩを用いて互いに通信する。ある実施形態においては、ＡＰＩバックエンドは、ユーザデータのバルクを保持してよく、ユーザ管理機能を提供して、クライアントが非常に限られた状態のみを有するようにしてよい。
【００７９】
図１に示すバックエンドＡＰＩ１２０は、１つまたは複数のＡＰＩを含んでよい。ＡＰＩは、ソフトウェア及びアプリケーションを構築するルーチン、プロトコル、及び、ツールのセットである。ＡＰＩは、その動作、入力、出力、及び、基底型によって、ソフトウェアコンポーネントを表して、各実施態様から独立した機能を規定する。これによって、インタフェースを損なうこと無しに、定義や実施態様を変更するのが可能になる。ＡＰＩは、プログラマがアプリケーション自体を修正する必要なく、また、アプリケーションがどのように動いているかを理解する必要さえなく、アプリケーションの機能へのアクセスをプログラマに提供し得るので、有利である。ＡＰＩは、ウェブベースのシステム、オペレーティングシステム、または、データベースシステム用であってよく、所与のプログラミング言語を用いて、そのシステムのアプリケーションを開発する機能を提供する。データベース、または、ハードディスクドライブもしくはビデオカード等のコンピュータハードウェアにアクセスすることに加えて、ＡＰＩは、グラフィカルユーザインタフェース（ＧＵＩ）コンポーネントをプログラムする作業を容易にし得る。例えば、ＡＰＩは、新しい機能の既存のアプリケーションへの統合を容易にし得る（いわゆる「プラグインＡＰＩ」）。他には、ＡＰＩは、別個のアプリケーションのデータ共有も支援でき、これは、アプリケーションの機能の統合及び向上を助け得る。
【００８０】
図１に示すバックエンドＡＰＩ１２０は、１つまたは複数のサービス（ネットワークサービスとも呼ばれる）をさらに含んでよい。ネットワークサービスは、データストレージ、操作、提示、通信、及び／または、他の機能を提供するアプリケーションである。ネットワークサービスは、アプリケーション層ネットワークプロトコルに基づいたクライアント−サーバアーキテクチャを用いて実施されることが多い。各サービスは、１つまたは複数のコンピュータ（複数のサービスを提供する専用サーバコンピュータ等）で実行するサーバコンポーネントによって提供されてよく、他のデバイス上で実行するクライアントコンポーネントによってネットワークを介してアクセスされてよい。しかしながら、クライアントとサーバのコンポーネントは両方とも、同じマシンで実行することができる。クライアントとサーバは、ユーザインタフェースを有してよく、時には、クライアントとサーバに関連付けられた他のハードウェアを有してよい。
【００８１】
図２は、本開示の様々な態様による、投光照明コントローラ１００からＡ／Ｖコンテンツをストリーミング及び記憶するプロセスを示すフローチャートである。ブロックＢ１３０において、投光照明コントローラ１００は、訪問者の存在を検出し、カメラ１０４の視野内でビデオ画像を撮影する。投光照明コントローラ１００は、マイクロフォン１０６によってオーディオもキャプチャしてよい。ブロックＢ１３２において、投光照明コントローラ１００は、関連する投光照明装置の少なくとも１つの投光照明をオンにして、投光照明コントローラ１００の周囲のエリアを照らす。上記のように、投光照明コントローラ１００は、カメラ１０４及び／またはモーションセンサを用いて動きを検出することによって、訪問者の存在を検出してよい。また、上記のように、ビデオ記録／撮影は、訪問者が検出された時、開始してよい、または、以下に記載するように、その前に開始してよい。
【００８２】
ブロックＢ１３４において、投光照明コントローラ１００の通信モジュールは、ユーザネットワーク１１０とネットワーク１１２とを介してネットワーク１１２のデバイスに要求を送信する。例えば、要求を送信されるネットワークデバイスは、サーバ１１８等のサーバであってよい。サーバ１１８は、他のマシンまたはソフトウェア（クライアント）からの要求を待ち、その要求に応答するコンピュータプログラム及び／またはマシンを含んでよい。サーバは、一般的に、データを処理する。サーバの１つの目的は、データ及び／またはハードウェア及び／またはソフトウェアリソースをクライアント間で共有することである。このアーキテクチャは、クライアント−サーバモデルと呼ばれる。クライアントは、同じコンピュータで実行してよい、または、ネットワークを介してサーバに接続してよい。コンピューティングサーバの例には、データベースサーバ、ファイルサーバ、メールサーバ、プリントサーバ、ウェブサーバ、ゲームサーバ、及び、アプリケーションサーバが含まれる。サーバという語は、１つまたは複数のクライアントプロセスにリソースを共有する任意のコンピュータ化されたプロセスを含むと広義に解釈されてよい。別の例においては、要求が送信されるネットワークデバイスは、上記のバックエンドＡＰＩ１２０等のＡＰＩであってよい。
【００８３】
要求に応答して、ブロックＢ１３６において、ネットワークデバイスは、ユーザネットワーク１１０とネットワーク１１２を通して投光照明コントローラ１００をユーザのクライアントデバイス１１４に接続してよい。ブロックＢ１３８において、投光照明コントローラ１００は、カメラ１０４、マイクロフォン１０６、及び／または、利用可能な任意の他のデバイス／センサを用いて入手可能なオーディオ及び／またはビデオデータを記録してよい。ブロックＢ１４０において、オーディオ及び／またはビデオデータは、ユーザネットワーク１１０とネットワーク１１２を介して投光照明コントローラ１００からユーザのクライアントデバイス１１４に送信（ストリーミング）される。ブロックＢ１４２において、ユーザは、コールを受け付けるまたは拒絶するプロンプトを有する通知を自分のクライアントデバイス１１４で受信してよい。
【００８４】
ユーザのクライアントデバイス１１４における通知は、ライブストリーミングオーディオ及び／またはビデオを含んでよく、それによって、ユーザはコールに答えるべきか否かを判断できる。例えば、ストリーミングビデオが、カメラの視野内に人がいることを示す場合、ユーザは、その人と話すためにコールに答えたい場合がある。一例において、カメラの視野内の人が、ユーザが知っている訪問者の場合がある。このような場合、ユーザは、訪問者と話したい場合がある。別の例においては、カメラの視野内の人が、ユーザの知らない侵入者の場合がある。このような場合、ユーザは、例えば、侵入者が記録されているという警告、及び／または、警察に知らせており、警察が投光照明コントローラ１００のある敷地に向かう途中であるという警告を話す（または、叫ぶ）ことによって、侵入者を驚かせて、侵入者が逃亡するように仕向けたい場合がある。
【００８５】
ブロックＢ１４４において、プロセスは、ユーザがコールを受け付けたかまたは拒否したかを判断する。ユーザが通知を拒否した場合、プロセスは、ブロックＢ１４６に進み、オーディオ及び／またはビデオデータがクラウドサーバに記録及び記憶される。そして、セッションは、ブロックＢ１４８で終了し、投光照明コントローラ１００とユーザのクライアントデバイス１１４との間の接続は切られる。しかしながら、ユーザが通知を受け付けた場合、ブロックＢ１５０において、カメラ１０４、マイクロフォン１０６、及び／または、他のデバイス／センサがキャプチャしたオーディオ及び／またはビデオデータを、ユーザのクライアントデバイス１１４にストリーミングしながら、ユーザは、ユーザのクライアントデバイス１１４を通して訪問者／侵入者と通信する。コール終了時に、ユーザは、ユーザのクライアントデバイス１１４と投光照明コントローラ１００との間の接続を切ってよく、セッションは、ブロックＢ１４８で終了する。ある実施形態においては、ユーザが、通知を受け付け、ユーザのクライアントデバイス１１４を通して訪問者／侵入者と通信する場合でさえ、オーディオ及び／またはビデオデータは、クラウドサーバに記録及び記憶されてよい（ブロックＢ１４６）。
【００８６】
上記のように、本投光照明コントローラの一態様は、外部照明システムが、オーディオ／ビデオ（Ａ／Ｖ）記録及び通信機能を追加することによって改良され得るという認識を含む。例えば、外部照明システムのモーションセンサが侵入者を検出すると、ライトが作動されてよく、それによって侵入者を驚かせ得る。しかし、侵入者は、人間の声を聞くと、より驚く可能性が高く、従って逃げる可能性も高くなる。このように、家屋の所有者（または、賃借人）が照明システムの近くのエリアのライブ映像を見ることを可能にするカメラと、家屋の所有者（または、賃借人）が侵入者にライブで音声による警告を与えることを可能にするスピーカとを有する外部照明システムに投光照明コントローラを備えると有利である。本実施形態は、３つの利点を提供する。本実施形態は、さらに有利なことに、投光照明コントローラがキャプチャしたオーディオ及び／またはビデオを遠隔サーバに記録するためにクラウドにアップロードする。Ａ／Ｖ映像は、警察が住宅強盗や他の犯罪の犯人を捕らえる際に役に立つ。さらに、住宅の外部に投光照明コントローラが存在することによって、強盗を企てる人に対する強力な抑止手段として働く。
【００８７】
本投光照明コントローラの実施形態は、有利なことに、既存の家庭用ＡＣ電源に接続されるように構成される。従って、本投光照明コントローラのカメラに継続的に電力を供給することができる。カメラに継続的に電力を供給できるので、カメラは、常に、記録でき、記録された映像は、継続的にローリングバッファまたはスライドウインドウに記憶できる。ある実施形態においては、約１０〜１５秒の記録された映像をローリングバッファまたはスライドウインドウに継続的に記憶できる。また、カメラに継続的に電力を供給できるので、カメラは動きの検出に使用できる。従って、カメラは、受動型赤外線（ＰＩＲ）センサ等の別個のモーション検出装置の機能を補完することができる、または、別個のモーション検出装置の必要性を無くす。また、カメラに継続的に電力を供給できるので、カメラは、ＩＲカットフィルタの現在の状態を制御し、ＩＲ  ＬＥＤをオン、オフにするために使用される光検出器として使用できる。このように、カメラは、別個の光センサの機能を補完できる、または、別個の光センサの必要性を無くすことができる。
【００８８】
図３〜図１０は、本開示の様々な態様による、投光照明コントローラ１００の一実施形態を示す。図３は、投光照明コントローラ１００の様々なコンポーネントと、それらの互いの関係とを示す機能ブロック図である。例えば、投光照明コントローラ１００は、ＡＣ／ＤＣアダプタ１６０を含む。従って、投光照明コントローラ１００は、家庭用ＡＣ電源（ＡＣ電源と呼ばれることもある）等の外部ＡＣ（交流）電源に接続されるように構成される。ＡＣ電力は、例えば、１１０〜２２０ＶＡＣの範囲の電圧を有してよい。入力されるＡＣ電力は、ＡＣ／ＤＣアダプタ１６０によって受信されてよく、ＡＣ／ＤＣアダプタ１６０は、入力されるＡＣ電力をＤＣ（直流）に変換してよく、電圧を１１０〜２２０ＶＡＣから、例えば、より低い約１２ＶＤＣの出力電圧と約２Ａの出力電流に下げてよい。様々な実施形態において、ＡＣ／ＤＣアダプタ１６０の出力は、例えば、約９Ｖから約１５Ｖの範囲であってよく、例えば、約０．５Ａ〜約５Ａの範囲であってよい。これらの電圧と電流は、説明のために提供した例に過ぎず、限定する意図はない。
【００８９】
図３をさらに参照すると、投光照明コントローラ１００は、プロセッサ１６２（コントローラと呼ばれることもある）、光センサ１６４、オーディオＣＯＤＥＣ（コーダデコーダ）１６６、少なくとも１つのスピーカ１０８、少なくとも１つのマイクロフォン１０６、少なくとも１つのモーションセンサ１６８、赤外線（ＩＲ）光源１７０、ＩＲカットフィルタ１７２、イメージセンサ１７４（カメラ１０４のコンポーネントであってよく、また、カメラ１０４と交換可能に呼ばれることもある）、揮発メモリ１７６、不揮発メモリ１７８、通信モジュール１８０、ボタン１８２、1つまたは複数の投光照明を制御するためのスイッチ１８４、及び、複数の光インジケータ１８６を含む他のコンポーネントをさらに含む。これらの各コンポーネントを以下に詳細に記載する。
【００９０】
図３をさらに参照すると、プロセッサ１６２は、以下に記載のように、データ処理と様々な他の機能とを行ってよい。プロセッサ１６２は、プロセッサコア、揮発メモリ１７６、不揮発メモリ１７８、及び／または、プログラマブル入力／出力周辺装置（図示せず）を含む集積回路を含んでよい。揮発メモリ１７６は、例えば、ＤＤＲ３  ＳＤＲＡＭ（ｄｏｕｂｌｅ  ｄａｔａ  ｒａｔｅ  ｔｙｐｅ  ｔｈｒｅｅ  ｓｙｎｃｈｒｏｎｏｕｓ  ｄｙｎａｍｉｃ  ｒａｎｄｏｍ−ａｃｃｅｓｓ  ｍｅｍｏｒｙ）を含んでよい。不揮発メモリ１７８は、例えば、ＮＡＮＤフラッシュメモリを含んでよい。図３に示す実施形態においては、揮発メモリ１７６と不揮発メモリ１７８は、プロセッサ１６２を表すボックスの外に示されている。しかしながら、図３に示す実施形態は単なる例に過ぎず、ある実施形態においては、揮発メモリ１７６及び／または不揮発メモリ１７８は、同じチップ上等、プロセッサ１６２に物理的に組み込まれてよい。揮発メモリ１７６及び／または不揮発メモリ１７８は、それらの物理的位置に関わらず、（本投光照明コントローラ１００のプロセッサ１６２に加えて）１つまたは複数の他のコンポーネントによって共有されてよい。
【００９１】
図３をさらに参照すると、イメージセンサ１７４（カメラ１０４）、ＩＲ光源１７０、ＩＲカットフィルタ１７２、及び、光センサ１６４は全て、プロセッサ１６２に動作可能に結合される。以下に詳細に記載するように、ＩＲ光源１７０とＩＲカットフィルタ１７２は、カメラ１０４の「暗視」機能を容易にする。例えば、光センサ１６４は、投光照明コントローラ１００の周囲光のレベルを検出するように構成される。プロセッサ１６２は、以下に記載するように、光センサ１６４からの入力を用いて、ＩＲ光源１７０とＩＲカットフィルタ１７２との状態を制御して、暗視を作動及び停止させる。ある実施形態においては、イメージセンサ１７４は、ビデオ記録センサまたはカメラチップを含んでよい。ある実施形態においては、ＩＲ光源１７０は、１つまたは複数のＩＲ発光ダイオード（ＬＥＤ）を含んでよい。
【００９２】
図３をさらに参照すると、少なくとも１つのスピーカ１０８と少なくとも１つのマイクロフォン１０６は、オーディオＣＯＤＥＣ１６６に動作可能に結合され、オーディオＣＯＤＥＣ１６６は、プロセッサ１６２に動作可能に結合される。ユーザと訪問者（または、侵入者）との間のデジタルオーディオの伝達は、以下に記載のように、オーディオＣＯＤＥＣ１６６を用いて圧縮及び解凍されてよい。モーションセンサ（複数可）１６８もプロセッサ１６２に動作可能に結合される。モーションセンサ（複数可）１６８は、例えば、受動型赤外線（ＰＩＲ）センサ、または、視野内の物体の存在及び／または動きを検出してプロセッサ１６２に通信できる任意の他の種類のセンサを含んでよい。プロセッサ１６２がモーションセンサ（複数可）１６８によってトリガされると、プロセッサ１６２は、以下に記載のように、１つまたは複数の機能を行ってよい。
【００９３】
図３をさらに参照すると、通信モジュール１８０は、プロセッサ１６２に動作可能に結合される。通信モジュール１８０は、少なくとも１つのアンテナ１８８を含み、投光照明コントローラ１００と他の外部装置または受信器との間の通信リンクを扱うように構成され、また、受信／送信データを適切にルーティングするように構成される。例えば、アンテナ（複数可）１８８からのインバウンドデータは、通信モジュール１８０を通ってルーティングされた後、プロセッサ１６２に向けられてよく、プロセッサ１６２からのアウトバウンドデータは、通信モジュール１８０を通ってルーティングされた後、アンテナ（複数可）１８８に向けられてよい。通信モジュール１８０は、データを送受信でき、ＧＳＭ、ＵＭＴＳ（３ＧＳＭ）、ＩＳ−９５（ＣＤＭＡ  ｏｎｅ）、ＩＳ−２０００（ＣＤＭＡ２０００）、ＬＴＥ、ＦＤＭＡ、ＴＤＭＡ、Ｗ−ＣＤＭＡ、ＣＤＭＡ、ＯＦＤＭＡ、Ｗｉ−Ｆｉ（登録商標）、ＷｉＭＡＸ（登録商標）、ブルートゥース（登録商標）、または、任意の他のプロトコル及び／または技術等、例えば、１つまたは複数のプロトコル及び／または技術を用いることができる１つまたは複数のトランシーバモジュールを含んでよい。図示の実施形態においては、通信モジュール１８０は、Ｗｉ−Ｆｉ（登録商標）チップ１９０とブルートゥースチップ１９２を含むが、これらのコンポーネントは、単に例に過ぎず、限定ではない。さらに、Ｗｉ−Ｆｉチップ１９０とブルートゥースチップ１９２は、通信モジュール１８０を表すボックス内に示したが、図３に示す実施形態は、単に例に過ぎず、ある実施形態においては、Ｗｉ−Ｆｉ（登録商標）チップ１９０及び／またはブルートゥースチップ１９２は、必ずしも通信モジュール１８０に物理的に組み込まれない。
【００９４】
ある実施形態においては、通信モジュール１８０は、無線リピータ（図示せず、無線レンジエクステンダと呼ばれることもある）をさらに含んでよい。無線リピータは、ユーザネットワーク１１０内の無線ルータ（または、他のネットワークデバイス）から無線信号を受信するように、また、その信号を再びブロードキャストするように構成される。無線ルータのブロードキャスト範囲内にない無線デバイス、または、無線ルータから弱い無線信号しか受信できない無線デバイスは、通信モジュール１８０の無線リピータから信号を受信して、再びブロードキャストしてよく、このようにして、投光照明コントローラ１００を通してユーザネットワーク１１０に接続してよい。ある実施形態においては、無線リピータは、データを送受信することができ、且つ、例えば、Ｗｉ−Ｆｉ（登録商標）（ＩＥＥＥ８０２．１１）、ＷｉＭＡＸ（登録商標）（ＩＥＥＥ８０２．１６）等の１つまたは複数のプロトコル及び／または技術、または、任意の他のプロトコル及び／または技術を使用できる１つまたは複数のトランシーバモジュール（図示せず）を含んでよい。
【００９５】
図３をさらに参照すると、投光照明コントローラ１００の周囲のエリアに存在する訪問者（または、侵入者）が話すと、訪問者（または、侵入者）からのオーディオは、マイクロフォン（複数可）１０６によって受信され、オーディオＣＯＤＥＣ１６６によって圧縮される。デジタルオーディオデータは、次に、通信モジュール１８０を通して、ユーザネットワーク１１０を介してネットワーク１１２に送信され（図１）、サーバ１１８及び／またはＡＰＩ１２０によってルーティングされ、且つ、ユーザのクライアントデバイス１１４に配信される。ユーザが話すと、ネットワーク１１２、ユーザネットワーク１１０、及び、通信モジュール１８０を通して転送された後、ユーザからのデジタルオーディオデータは、オーディオＣＯＤＥＣ１６６によって解凍され、スピーカ１０８を通して訪問者に発せられる。スピーカ１０８は、スピーカ１０８のドライバ（図示せず）によって駆動されてよい。
【００９６】
図３をさらに参照すると、ボタン１８２が、プロセッサ１６２に動作可能に結合される。ボタン１８２は、投光照明コントローラ１００の動作モードの変更、及び／または、投光照明コントローラ１００のリセットのトリガ等、１つまたは複数の機能を有してよい。例えば、ボタン１８２を押して、離すと、投光照明コントローラ１００の通信モジュール１８０は、アクセスポイント（ＡＰ）モードに入ってよく、これは、投光照明コントローラ１００のユーザネットワーク１１０への接続を容易にし得る。あるいは、または、これに加えて、ボタン１８２を押して、少なくとも閾値時間の間押したままでいると、揮発メモリ１７６及び／または不揮発メモリ１７８に記憶された任意のデータの消去をトリガしてよい、及び／または、プロセッサ１６２の再起動をトリガしてよい。
【００９７】
図４を参照すると、投光照明コントローラ１００は、投光照明コントローラ１００の内部のコンポーネントを収容及び保護するためのハウジング２００を含む。ハウジング２００は、前壁２０２、後壁２０４、対向する側壁２０６、２０８、上壁２１０、及び、先細の下部２１２を含む。図４及び図５を参照すると、前壁２０２は、上部シールド２１６と下部グリル２１８（図４）とを受ける中央開口部２１４（図５）を含む。図示の実施形態において、上部シールド２１６の前面と下部グリル２１８の前面は、前壁２０２の前面とほぼ同一平面にあるが、代替実施形態においては、これらの表面は、互いに同一平面になくてもよい。図４を参照すると、上部シールド２１６は、ほぼ長方形で、その下端２２２に半円のくぼみ２２０を含む。下部グリル２１８は、ほぼ長方形で、その上端２２６に半円のくぼみ２２４を含む。合わせると、上部シールド２１６と下部グリル２１８の半円のくぼみ２２０、２２４は、ライトパイプ２３０を収容する円形開口部２２８を形成する。カバー２３２は、ライトパイプ２３０の外側の開口端にわたって延在し、開口端を塞ぐ。上部シールド２１６、下部グリル２１８、ライトパイプ２３０、及び、カバー２３２は全て、以下に詳細に記載する。
【００９８】
図５及び図６を参照すると、投光照明コントローラ１００は、カメラ１０４をさらに含む。カメラ１０４は、その視野内からビデオ画像を撮影するように構成される。これらのビデオ画像は、図２を参照して記載したのと類似または同じプロセスに従って、ユーザのクライアントデバイス１１４（図１）にストリーミングできる、及び／または、後に見るために記憶装置１１６及び／またはサーバ１１８等の遠隔ネットワークデバイスにアップロードできる。カメラ１０４は、上部シールド２１６と下部グリル２１８とで形成された円形開口部２２８（図４）のカバー２３２の後ろに配置され、ライトパイプ２３０（図５及び図６）によって囲まれる。カバー２３２は、カメラ１０４の視野を邪魔しないように、透明または半透明であることが好ましい。例えば、ある実施形態においては、カバー２３２は、無色のガラスまたはプラスチックを含んでよい。
【００９９】
図６及び図７を参照すると、カメラ１０４は、カメラプリント基板（ＰＣＢ）２３６の前面２３４（図７）に結合され、レンズ２３８（図６）とイメージングプロセッサ２４０（図７）とを含む。カメラレンズ２３８は、明瞭な画像が撮影されるように、光をカメラ１０４に集めることができるレンズであってよい。カメラ１０４は、例えば、１０８０p以上の画像表示解像度でビデオ画像を撮影できるカメラ等、高解像度（ＨＤ）ビデオカメラを含んでよい。本実施形態の一部においては、以下に記載のように、カメラ１０４を使用して、カメラ１０４の視野内の動きを検出してよい。
【０１００】
図５及び図６を参照すると、投光照明コントローラ１００は、赤外線（ＩＲ）光源１７０をさらに含む。図示の実施形態において、ＩＲ光源１７０は、前壁２０２の中央開口部２１４（図５）内、カメラ１０４の上に配置され、対になったＩＲ  ＬＥＤプリント基板（ＰＣＢ）２４４に結合された複数のＩＲ発光ダイオード（ＬＥＤ）２４２を含む。図４及び図５を参照すると、ＩＲ  ＬＥＤ２４２は、上部シールド２１６の後ろに配置される。上部シールド２１６は、ＩＲ光に対して透明な材料を含むと好ましいが、可視スペクトルの光に対して部分的または大部分、不透明であってよい。例えば、ある実施形態においては、上部シールド２１６は、ポリカーボネート等の色の付いたプラスチックを含んでよい。従って、上部シールド２１６は、上部シールド２１６の後ろに配置されたＩＲ光源１７０からのＩＲ光の透過をほとんど邪魔しない。以下に詳細に記載するように、ＩＲ光源１７０は、（ＩＲカットフィルタ１７２と共に）カメラ１０４の「暗視」機能を容易にする。ＩＲ  ＬＥＤ  ＰＣＢ２４４を有し、各ＰＣＢが３つのＩＲ  ＬＥＤ２４２を含むＩＲ光源１７０の図示の構成は、一例に過ぎず、限定ではない。代替実施形態においては、ＩＲ光源１７０は、任意の数のＩＲ  ＬＥＤ  ＰＣＢ２４４及び／またはＩＲ  ＬＥＤ２４２を有してよい。さらなる代替実施形態においては、ＩＲ光源１７０は、ＩＲ  ＬＥＤ  ＰＣＢ２４４を全く含まなくてよい。例えば、ＩＲ  ＬＥＤ２４２は、投光照明コントローラ１００の１つまたは複数の他のコンポーネントに固定されてよい。さらに別の代替実施形態においては、ＩＲ光源１７０は、ＩＲ  ＬＥＤ２４２を全く含まなくてもよいが、代わりに、ＩＲ光を発する任意の種類のコンポーネント（複数可）を含んでよい。
【０１０１】
ＩＲ光源１７０は、光センサ１６４及び／またはカメラ１０４が低レベルの周囲光を検出した時に作動するようにトリガされてよい。作動すると、ＩＲ光源１７０が発するＩＲ光が、カメラ１０４の視野を照らす。ＩＲ光を検出するように構成され得るカメラ１０４は、ＩＲ光源１７０が発するＩＲ光がカメラ１０４の視野内の物体に反射すると、その光をキャプチャしてよく、その結果、投光照明コントローラ１００は、夜に画像を明瞭にキャプチャできる（「暗視」と呼ばれることもある）。
【０１０２】
図３を参照して前述したように、投光照明コントローラ１００は、ＩＲカットフィルタ１７２をさらに含む。ＩＲカットフィルタ１７２は、カメラ１０４のレンズ２３８とイメージセンサ１７４との間に選択的に配置できる機械シャッタである。日中、または、十分な量の周囲光がある時には、ＩＲカットフィルタ１７２は、レンズ２３８とイメージセンサ１７４との間に配置されて、ＩＲ光を除去して、人間の目が画像を見る時にＩＲ光が画像の色をゆがめないようにする。夜間、または、周囲光があまり無いもしくは全く無い時には、ＩＲカットフィルタ１７２は、レンズ２３８とイメージセンサ１７４との間の空間から引き抜かれて、カメラ１０４は、ＩＲ光を感じる（「暗視」）。プロセッサ１６２は、光センサ１６４から受信した入力に基づいて、ＩＲカットフィルタ１７２の現在の状態を制御してよい。しかしながら、ある実施形態においては、光センサ１６４は、省略されてよく、カメラ１０４は、ＩＲカットフィルタ１７２の現在の状態の制御（及び、ＩＲ光源１７０のオン、オフ）に使用するための光検出器として働いてよい。カメラ１０４の光検出器としての使用は、ある実施形態においては、投光照明コントローラ１００がＡＣ電源への接続によって電力を供給されているので、カメラ１０４は常に電源が入っているという事実によって容易にされる。
【０１０３】
図５及び図６をさらに参照すると、投光照明コントローラ１００は、スピーカ１０８をさらに含む。図示の実施形態において、スピーカ１０８は、前壁２０２の中央開口部２１４（図５）内、カメラ１０４の下に配置される。図４及び図５を参照すると、スピーカ１０８は、下部グリル２１８の後ろに配置される。下部グリル２１８は、スピーカ１０８から生じる音が投光照明コントローラ１００の周囲のエリアに明瞭に聞こえるように、下部グリル２１８を通る音の通過を容易にするように構成されると好ましい。例えば、ある実施形態においては、下部グリル２１８は、複数の穿孔（図示せず）を含んでよい。下部グリル２１８は、耐久性で耐水性であると好ましく、例えば、プラスチックまたは金属の材料を含んでよい。図５を参照すると、スピーカ１０８は、投光照明コントローラ１００内の奥に置かれてよく、スピーカ１０８の正面の空間は、スピーカ１０８が生成した音を増幅するように構成されたスピーカチャンバ２４６を形成してよく、それによって、音は、投光照明コントローラ１００の周囲のエリアで明瞭に聞こえる。スピーカチャンバ２４６は、スピーカ１０８から、及び／または、その周囲からハウジング２００の前壁２０２に向かって外方向に延びる壁部２４８を含んでよい。
【０１０４】
図５を参照すると、上部シールド２１６及び／または下部グリル２１８は、下にある受け板２５０に当接してよく、受け板２５０は、ハウジング２００と一体であってもよく、別個の部品であってもよい。受け板２５０は、不透明であってよく、カメラ１０４の位置に対応する第１の開口部２５２と、第１の開口部の上にあり、ＩＲ光源１７０の位置に対応する第２の開口部２５４と、第１の開口部２５２の下にあり、スピーカ１０８の位置に対応する第３の開口部２５６とを含んでよい。
【０１０５】
図６を参照すると、投光照明コントローラ１００は、マイクロフォン１０６をさらに含む。図示の実施形態において、マイクロフォン１０６の第１のマイクロフォン２５８は、投光照明コントローラ１００の正面に沿って、上部シールド２１６（図４）の後ろに配置され、マイクロフォン１０６の第２のマイクロフォン２６０は、投光照明コントローラ１００の左側に沿って、ハウジング２００の左側の壁２０８（図４）の後ろに配置される。互いに間隔をあけて、投光照明コントローラ１００の異なる側に配置される２つのマイクロフォン２５８、２６０を含むことは、投光照明コントローラ１００の図示の実施形態に、オーディオをより明瞭にするために有利なノイズキャンセル及び／またはエコーキャンセルを提供する。しかしながら、図示の実施形態は一例に過ぎず、限定ではない。代替実施形態は、１つのマイクロフォン１０６のみを含んでよい、または、図６に示すのとは異なる位置に２つのマイクロフォン１０６を含んでよい。
【０１０６】
図４及び図５を参照すると、上部シールド２１６は、第１のマイクロフォン開口部２６２（図４）を含んでよく、受け板２５０は、第２のマイクロフォン開口部２６４（図５）を含んでよい。第１のマイクロフォン開口部２６２及び第２のマイクロフォン開口部２６４は、互いに整列して、第１のマイクロフォン２５８（図６）の正面に位置し、上部シールド２１６と受け板２５０とを通る音の通過を容易にし、それによって、投光照明コントローラ１００の周囲のエリアからの音は、第１のマイクロフォン２５８に到達できる。図８を参照すると、ハウジング２００の左側の壁２０８は、第２のマイクロフォン２６０（図６）の正面に位置する第３のマイクロフォン開口部２６６を含んでよく、開口部２６６は、ハウジング２００の左側の壁２０８を通る音の通過を容易にし、それによって、投光照明コントローラ１００の周囲のエリアからの音は、第２のマイクロフォン２６０に到達できる。
【０１０７】
図５〜図７を参照すると、投光照明コントローラ１００は、ライトパイプ２３０をさらに含む。ライトパイプ２３０は、カメラ１０４（図５及び図６）とカバー２３２（図７）とを取り囲む透明または半透明のリングである。図５を参照すると、ライトパイプ２３０は、受け板２５０の第１の開口部２５２とカメラ１０４との間の環状空間にあり、ライトパイプ２３０の前面が、図４に示すように、カバー２３２、上部シールド２１６、及び、下部グリル２１８の前面とほぼ同一平面にある。図６及び図７を参照すると、ライトパイプ２３０の後部は、ライトパイプ２３０の後部周辺を囲む複数の脚部２６８を含む。脚部２６８は、光リングプリント基板（ＰＣＢ）２７０に当接し、光リングプリント基板はＰＣＢ２７０の前面のリングに配置された光インジケータ１８６（図３）を含み、光インジケータ１８６の位置は、脚部２６８の位置に対応する。ある実施形態においては、光インジケータ１８６は、光リングＰＣＢ２７０の前面に取り付けられた面に、ライトパイプ２３０の周囲の円に配置された複数のＬＥＤを含んでよい。本実施形態は、光インジケータ１８６がＬＥＤであることに限定されず、代替実施形態においては、光インジケータ１８６は、任意の他の種類の発光デバイスを含んでよい。光インジケータ１８６が点灯されると、ライトパイプ２３０の脚部２６８と本体を光が透過して、ライトパイプ２３０の前面で光が見える。光インジケータ１８６及びライトパイプ２３０は、このように、カメラ１０４及びカバー２３２の周囲に照明リングを提供する。ライトパイプ２３０は、例えば、プラスチック、または、光を透過できる任意の他の適切な材料を含んでよい。
【０１０８】
光インジケータ１８６及びライトパイプ２３０は、訪問者及び／またはユーザに対する視覚インジケータの役割をしてよい。例えば、光インジケータ１８６は、作動されると点灯してよい、または、連続的に点灯したままでもよい。一態様において、光インジケータ１８６は、投光照明コントローラ１００の周囲のエリアで動きが検出されたことを、色を変えて示してよい。他の態様においては、光インジケータ１８６は、ユーザネットワーク１１０への接続が良い、限定的、悪い、または、接続されていないことを、例えば、異なる色及び／または異なる点滅パターンを用いて示してよい。他の態様においては、光インジケータ１８６は、設定または設置ステップを通して、視覚的キューを、可能であれば、スピーカ１０８から発せられるオーディオキューと共に用いて、ユーザを指導するのに使用されてよい。代替実施形態においては、ライトパイプ２３０は省略されてよい。
【０１０９】
図４を参照すると、投光照明コントローラ１００は、ライトパイプ２３０の内面及び外面を囲む光バリア２７２をさらに含んでよい。光バリア２７２は、光インジケータ１８６が生成した光がライトパイプ２３０の周囲の投光照明コントローラ１００の内部空間に流出するのを防ぐ実質的に不透明の材料を含んでよい。光バリア２７２は、プラスチック等の弾性材料を含んでよく、弾性材料は、ライトパイプ２３０と、上部シールド２１６及び下部グリル２１８との間の結合部に防湿シールも提供し得るので有利である。光バリア２７２の一部は、上部シールド２１６と下部グリル２１８との間の結合部の間にも延在してよい。
【０１１０】
図６及び図７は、主プリント基板（ＰＣＢ）２７４を含む投光照明コントローラ１００の様々な内部コンポーネントを示す。プロセッサ１６２、揮発メモリ１７６、不揮発メモリ１７８、及び／または、オーディオＣＯＤＥＣ１６６の１つまたは複数を含む、投光照明コントローラ１００の１つまたは複数のコンポーネントは、主ＰＣＢ２７４に結合されてよい。これらの各コンポーネントは、前述し、図３に示した。図７を参照すると、ＡＣ／ＤＣアダプタ１６０が、主ＰＣＢ２７４の後面に結合され、通信モジュール１８０に動作可能に接合されたアンテナ１８８が、主ＰＣＢ２７４の側端に沿って延在する。図７をさらに参照すると、投光照明コントローラ１００は、通信モジュール１８０が結合された通信ＰＣＢ２７６をさらに含む。代替実施形態においては、通信ＰＣＢ２７６は省略されてよく、通信モジュール１８０は、例えば、主ＰＣＢ２７４に、または、別のＰＣＢに結合されてよい。
【０１１１】
図８を参照すると、投光照明コントローラ１００は、モーションセンサ（複数可）１６８をさらに含む。図示の実施形態において、モーションセンサ（複数可）１６８は、受動型赤外線（ＰＩＲ）センサを含み、３つのＰＩＲセンサ１６８が備えられる。しかしながら、モーションセンサの図に示した種類及び数は、単に非限定的な一例に過ぎない。ＰＩＲセンサ１６８は、逆ピラミッド型ＰＩＲセンサホルダ２７８の３つの面の周囲に配置される。ＰＩＲセンサホルダ２７８は、投光照明コントローラハウジング２００の下部２１２に位置するモーションセンサプリント基板（ＰＣＢ）２８０の下部表面に結合される。ＰＩＲセンサ１６８は、ＰＩＲセンサ１６８の第１のＰＩＲセンサ２８２が投光照明コントローラ１００の正面に向けられ、ＰＩＲセンサ１６８の第２、第３のＰＩＲセンサ２８４、２８６が、ぞれぞれ、投光照明コントローラ１００の右側及び左側に向けられるように配置される。このようにして、ＰＩＲセンサ１６８は、投光照明コントローラ１００の前方及び側方の約２７０度の角度をカバーできる。ＰＩＲセンサホルダ２７８の角のある表面は、さらに、ＰＩＲセンサ１６８を下向きの角度に向ける。投光照明は一般的に、平均的な身長の人の高さより上に配置されるので、この構成は、投光照明コントローラ１００の一般的な使用ケースに適している。投光照明コントローラ１００の周囲のエリア内の地上レベルで動く人（または、他の物体）は、従って、ＰＩＲセンサ１６８の視野内に十分に入る可能性が高い。
【０１１２】
モーションセンサ１６８は、投光照明コントローラ１００の周囲のエリア内の動きを検出するように構成される。動きが検出されると、モーションセンサ１６８からの出力信号が、プロセッサ１６２（図３）によって受信され、図２を参照して前述したプロセスと類似の（または、同じ）プロセスが開始されてよい。ある実施形態においては、カメラ１０４も投光照明コントローラ１００の周囲のエリア内の動きを検出するために使用されてよい。一例の実施形態において、カメラ１０４を用いて動きを検出することは、カメラ１０４が記録したビデオフレームを比較することを含んでよい。例えば、プロセッサ１６２（及び／または、別個のカメラプロセッサ）は、カメラ１０４からビデオフレームの入力を受信してよく、連続したフレームの画素差を比較してよく、画素差が大きい（１つまたは複数の閾値より大きい）場合、その画素差はカメラ１０４の視野内の動きを示すと決定してよい。プロセッサ１６２は、次に、図２を参照して前述したプロセスと類似の（または、同じ）プロセスを開始してよい。
【０１１３】
図７及び図８を参照すると、ハウジング２００の下端は、フレネルレンズ２９０（図７）を受ける開口部２８８（図８）を含む。凸形状のフレネルレンズ２９０は、ハウジング２００の下端の開口部２８８を覆って、閉じる。フレネルレンズ２９０は、入射ＩＲ光を集束して、ＰＩＲセンサ１６８上に集めるように構成され、それによって、ＰＩＲセンサ１６８の有効性及び／または感度を向上させる。代替実施形態においては、フレネルレンズ２９０は省略されてよい。
【０１１４】
図９を参照すると、投光照明コントローラ１００は、投光照明コントローラ１００を投光照明装置２９４（図１０）及び電源（図示せず）に接続するように構成された接続ハードウェア２９２をさらに含む。図示の実施形態において、接続ハードウェア２９２は、ハウジング２００の後壁２０４に固定された第１の接続部材２９６と、投光照明装置２９４に固定されるように構成された第２の接続部材２９８とを含む。第１、第２の接続部材２９６、２９８は、玉継手３００でつながれて、第１、第２の接続部材２９６、２９８が互い関節接合されるように構成される。第２の接続部材２９８の玉継手３００の反対側の端部は、ねじ３０２を含み、ねじ３０２は、投光照明装置２９４のねじ（図示せず）と係合して、投光照明コントローラ１００を投光照明装置２９４に固定するように構成される。第２の接続部材２９８が投光照明装置２９４に固定されると、玉継手３００が、カメラ１０４が任意の所望の方向を向くことができるように、投光照明コントローラ１００の向きを調整するのを可能にする。しかしながら、玉継手３００は、非限定的な一例に過ぎない。代替実施形態においては、関節接合でない継手を含む他の種類の継手が、第１、第２の接続部材２９６、２９８の間に備えられてよい。さらなる代替実施形態においては、接続ハードウェア２９２は、第１、第２の接続部材２９６、２９８ではなく、１つの単一部材を含んでよい。同様に、第２の接続部材２９８のねじ３０２は、非限定的な例に過ぎない。代替実施形態においては、第２の接続部材２９８と投光照明装置２９４との間に、摩擦嵌め等の他の種類の接続を備えてよい。
【０１１５】
図５及び図６を参照すると、投光照明コントローラ１００は、（投光照明コントローラ１００が投光照明（複数可）３０６をオン、オフできるように）投光照明コントローラ１００を電源と投光照明装置２９４の投光照明（複数可）３０６（図１０）とに接続するための複数の配線３０４をさらに含む。図示の実施形態において、３つの配線３０４が示されているが、図示の実施形態は、単に一例にすぎず、限定ではない。代替実施形態においては、任意の数の配線３０４を備えてよい。
【０１１６】
ある実施形態においては、投光照明コントローラ１００の接続ハードウェア２９２は、投光照明装置２９４の既存の動き検出器を投光照明コントローラ１００と容易に置き換えるのを可能にするように構成される。多くの投光照明アセンブリは、投光照明装置の残りの部分から簡単に取り外しできる動き検出器を含む。これらの投光照明アセンブリの多くは、動き検出器を投光照明装置に接続するユニバーサルタイプのコネクタを含む。本投光照明コントローラ１００のある実施形態は、これらのユニバーサルタイプのコネクタと容易に接続される接続部材を含んでよく、それによって、実質的にいかなる投光照明装置の所有者も装置の既存の動き検出器を容易に取り外して、代わりに本投光照明コントローラ１００に接続できる。既存の動き検出器の除去と、本投光照明コントローラ１００への交換をさらに容易にするために、配線３０４は、投光照明装置の対応するプラグインコネクタ（図示せず）と接続されるプラグインコネクタ（図示せず）を含んでよい。代替実施形態においては、本投光照明コントローラ１００の実施形態は、生産／製造中に投光照明装置と組み合わされて、投光照明アセンブリを生産してよい。そして、本投光照明コントローラ１００を含む投光照明アセンブリが、組み立て済みユニットとして販売されてよい。
【０１１７】
図３を参照すると、本投光照明コントローラ１００の図示の実施形態は、関連する投光照明装置２９４の投光照明（複数可）３０６（図１０）をオン、オフするスイッチ１８４をさらに含む。スイッチ１８４は、プロセッサ１６２に動作可能に接続され、開いた状態と閉じた状態とを有する。スイッチ１８４が開いた状態の時、投光照明装置２９４の投光照明（複数可）３０６はオフで、スイッチ１８４が閉じた状態の時、投光照明装置２９４の投光照明（複数可）３０６はオンである。投光照明コントローラ１００が動きを検出すると、プロセッサ１６２は、スイッチ１８４への出力を生成してスイッチ１８４を開いた状態から閉じた状態に移行させ、それによって、投光照明装置２９４の投光照明（複数可）３０６をオンにする。
【０１１８】
図３〜図１０の投光照明コントローラ１００の動作を、図２のフローチャートを参照して以下に記載する。ブロックＢ１３０において、投光照明コントローラ１００は、（例えば、訪問者または侵入者から）動きを検出して、カメラ１０４の視野内のビデオ画像を撮影する。投光照明コントローラ１００は、カメラ１０４及び／またはモーションセンサ（複数可）１６８を用いて動きを検出してよい。例えば、プロセッサ１６２は、カメラ１０４とモーションセンサ（複数可）１６８の少なくとも１つから入力信号を受信してよく、ここで、入力信号は動きを示す。プロセッサ１６２は、次に、出力信号をカメラ１０４に送信して、カメラ１０４の視野内のビデオ画像を撮影してよい。カメラ１０４と別個のモーションセンサ１６８を含まない投光照明コントローラ１００の実施形態においては、投光照明コントローラ１００は、カメラ１０４を用いて動きを検出してよい。上記のように、ビデオ記録／撮影は、動きが検出された時に開始してよい。あるいは、これも前述したように、ビデオ記録／撮影は、例えば、カメラ１０４が常にオンになっている実施形態等においては、動きが検出される前に開始してよい。投光照明コントローラ１００は、マイクロフォン１０６を通してオーディオもキャプチャしてよい。
【０１１９】
ブロックＢ１３２において、投光照明コントローラ１００は、関連する投光照明装置２９４の少なくとも１つの投光照明３０６（図１０）をオンにして、投光照明コントローラ１００の周囲のエリアを照らす。例えば、プロセッサ１６２は、スイッチ１８４に出力信号を送信して、スイッチ１８４を閉じさせてよく、それによって、投光照明装置２９４の少なくとも１つの投光照明３０６をオンにする。
【０１２０】
ブロックＢ１３４において、投光照明コントローラ１００の通信モジュール１８０は、ユーザネットワーク１１０とネットワーク１１２とを介して、ネットワーク１１２内のデバイスに要求を送信する。例えば、プロセッサ１６２は、通信モジュール１８０に出力信号を送信して、通信モジュール１８０にネットワーク１１２のデバイスに要求を送信させてよい。例えば、要求が送信されるネットワークデバイスは、サーバ１１８等のサーバ、または、バックエンドＡＰＩ１２０等のＡＰＩであってよい。
【０１２１】
要求に応答して、ブロックＢ１３６において、ネットワークデバイスは、ユーザネットワーク１１０とネットワーク１１２を通して投光照明コントローラ１００をユーザのクライアントデバイス１１４に接続してよい。ブロックＢ１３８において、投光照明コントローラ１００は、カメラ１０４、マイクロフォン１０６、及び／または、利用可能な任意の他のデバイス／センサを用いて、入手可能なオーディオ及び／またはビデオデータを記録してよい。ブロックＢ１４０において、オーディオ及び／またはビデオデータは、ユーザネットワーク１１０とネットワーク１１２とを介して投光照明コントローラ１００からユーザのクライアントデバイス１１４に送信（ストリーミング）される。例えば、プロセッサ１６２は、通信モジュール１８０に出力信号を送信して、通信モジュール１８０にユーザネットワーク１１０とネットワーク１１２とを介して投光照明コントローラ１００からユーザのクライアントデバイス１１４にオーディオ及び／またはビデオデータを送信（ストリーミング）させてよい。ブロックＢ１４２において、ユーザは、コールを受け付けるか拒否するかのプロンプトを有する通知をユーザのクライアントデバイス１１４で受信してよい。
【０１２２】
ブロックＢ１４４において、プロセスは、ユーザがコールを受け付けたか拒否したかを判断する。ユーザが通知を拒否した場合、プロセスは、ブロックＢ１４６に進み、オーディオ及び／またはビデオデータがクラウドサーバ（記憶装置１１６及び／またはサーバ１１８等）に記録及び記憶される。そして、セッションは、ブロックＢ１４８で終了し、投光照明コントローラ１００とユーザのクライアントデバイス１１４との間の接続が切られる。しかしながら、ユーザが通知を受け付けた場合、ブロックＢ１５０で、カメラ１０４、マイクロフォン１０６、及び／または、他のデバイス／センサがキャプチャしたオーディオ及び／またはビデオデータをユーザのクライアントデバイス１１４にストリーミングしながら、ユーザは、ユーザのクライアントデバイス１１４を通して訪問者と通信する。コールの最後に、ユーザは、ユーザのクライアントデバイス１１４と投光照明コントローラ１００との間の接続を切ってよく、セッションは、ブロックＢ１４８で終了する。ある実施形態においては、ユーザが通知を受け付け、ユーザのクライアントデバイス１１４を通して訪問者と通信する場合でさえ、オーディオ及び／またはビデオデータは、クラウドサーバに記録及び記憶されてよい（ブロックＢ１４６）。
【０１２３】
図１１は、本投光照明コントローラ３１０の代替実施形態を示す。図１１の実施形態３１０は、図３の実施形態１００のコンポーネントの全てと、ストレージ３１２及び電池３１４とを含む。ストレージ３１２は、ハードディスク／ドライブ、フラッシュメモリ、または、任意の他の適切なメモリ／記憶素子等を含むが、これらに制限されない任意の種類の不揮発データストレージを含んでよい。以下にさらに詳細に記載するように、プロセッサ１６２に動作可能に接続されるストレージ３１２を使用して、投光照明コントローラ３１０によってキャプチャされたオーディオ及び／またはビデオ情報を記憶してよい。プロセッサ１６２に動作可能に接続される電池３１４は、リチウムイオン電池または任意の他の種類の充電式電池等、充電式電池を含んでよい。
【０１２４】
上記のように、本投光照明コントローラ１００、３１０は、ＡＣ電源等の外部電源に接続される。図１１の実施形態３１０は、同様に、主に外部電源から電力を供給されるが、例えば、停電などで外部電源が利用できない時等、充電式電池３１４からも電力を取ってよい。停電中、ユーザネットワーク１１０は、利用できない可能性が高く、投光照明コントローラ３１０からユーザのクライアントデバイス１１４にオーディオ及び／またはビデオ情報をストリーミングすること、または、オーディオ及び／またはビデオ情報を遠隔記憶装置１１６に送信することを不可能にする。しかしながら、有利なことに、停電中、図１１の実施形態３１０は、充電式電池３１４から電力を取ることによって、オーディオ及び／またはビデオ情報をキャプチャ及び記録でき、また、オーディオ及び／またはビデオ情報をストレージ３１２にローカルに記憶できる。ＡＣ電源の電力が回復し、ユーザネットワーク１１０が再び利用可能になると、ストレージ３１２に記憶されたオーディオ及び／またはビデオ情報は、遠隔記憶装置１１６にアップロードできる。図１１の投光照明コントローラ３１０の実施形態は、従って、ＡＣ電力が利用できない時でさえ、オーディオ及びビデオ情報を記録及び記憶するように機能できて有利である。ある実施形態においては、電池３１４は、投光照明コントローラ３１０が動作可能に接続される投光照明装置２９４の少なくとも１つの投光照明３０６に電力を提供するようにも構成されてよい。このような実施形態において、図１１の投光照明コントローラ３１０は、さらに有利なことに、ＡＣ電力が利用できない時でさえ、投光照明（複数可）３０６をオンにすることができる。
【０１２５】
図１１の実施形態３１０は、投光照明コントローラ３１０が電力を取る電源（ＡＣ電源または充電式電池３１４）を制御するように構成された電力マネージャ（図示せず）をさらに含んでよい。電力マネージャは、外部電源（ＡＣ電源）から取る電力を用いて電池３１４の再充電も制御してよい。本投光照明コントローラの代替実施形態は、図１１に示すストレージ３１２と電池３１４のどちらかを含んでよいが、両方は含まない。
【０１２６】
図１２は、本開示の様々な態様による、図１１の投光照明コントローラ３１０を用いて、Ａ／Ｖコンテンツを記録及び記憶するプロセスを示すフローチャートである。図１２のプロセスの始めに（または、開始の直前に）、投光照明コントローラ３１０は、外部電源（ＡＣ電源）に接続され、そこから電力を取る。ブロックＢ３２０において、ＡＣ電源の電力が停止される、これは、例えば、停電により、または、投光照明コントローラ３１０が置かれている住居または事業所への電力を故意に切ることにより、生じ得る。ブロックＢ３２２において、ＡＣ電源電力の喪失に応答して、投光照明コントローラ３１０は、電池３１４から電力を取る。例えば、電力マネージャは、ＡＣ電源電力の喪失を検出してよく、投光照明コントローラ３１０の電源をＡＣ電源から電池３１４に切り替えてよい。
【０１２７】
ブロックＢ３２４において、投光照明コントローラ３１０は、動きを検出し、ビデオ画像及び／またはオーディオをキャプチャする。上記のように、投光照明コントローラ３１０は、カメラ１０４及びモーションセンサ（複数可）１６８のうちの１つまたは両方を介して動きを検出してよい。ブロックＢ３２６において、投光照明コントローラ３１０は、投光照明装置２９４の投光照明（複数可）３０６をオンにして、投光照明コントローラ３１０の周囲のエリアを照らす。ある実施形態においては、投光照明コントローラ３１０の電池３１４は、ＡＣ電源電力が利用できない時、投光照明装置２９４に電力を提供しなくてよい。このような実施形態においては、投光照明コントローラ３１０は、ＩＲ光源１７０を作動させて、投光照明コントローラ３１０の周囲のエリアにＩＲ照明（暗視）を提供してよい。
【０１２８】
ブロックＢ３２８において、投光照明コントローラ３１０は、カメラ１０４の視野内のエリアのオーディオ及び／またはビデオを記録し、投光照明コントローラ３１０のローカルストレージ３１２にオーディオ及び／またはビデオ情報を記憶する。ブロックＢ３３０において、ＡＣ電源電力が回復する。ＡＣ電源電力回復後のある時点で、ユーザネットワーク１１０は、再び利用可能になる。従って、ブロックＢ３３２において、投光照明コントローラ３１０のローカルストレージ３１２に記憶されたオーディオ及び／またはビデオは、ストレージ１１６及び／またはサーバ１１８等、ネットワークデバイスに、ユーザネットワーク１１０とネットワーク１１２とを介してアップロードされる。ブロックＢ３３４において、プロセスは終了する。
【０１２９】
ある実施形態においては、本投光照明コントローラ１００、３１０は、投光照明コントローラ１００、３１０の周囲のエリアで動きが検出されると、スピーカ１０８を通して自動的に音を発してよい。例えば、音は、大きいビープ音、叫び声、わめき声、または、スピーカ１０８の聞こえる範囲内にいる人を驚かせる可能性が高い任意の他の種類の大きい音であってよい。音は、投光照明装置２９４の投光照明（複数可）３０６がオンになるのと同時に（または、時間的にごく近くに）発せられてよい。大きい音は、突然の点灯と一緒になると、点灯だけと比較して、侵入者を驚かせて逃亡させる可能性が高くなり得る。
【０１３０】
図１３は、本開示による、無線Ａ／Ｖ記録及び通信機構を有する投光照明コントローラ１０１の別の実施形態の上部正面斜視図である。図１３に示す投光照明コントローラ１０１のコンポーネントの一部は、上述し、図４〜図１０に示した投光照明コントローラ１００のコンポーネントと類似または同じであってよい。明瞭にするために、投光照明コントローラ１００のコンポーネントと類似、または、ほぼ同じ投光照明コントローラ１０１のコンポーネントは、図４〜図１０と同じ参照番号を用いて呼ばれてよい。しかしながら、投光照明コントローラ１００のコンポーネントと同じ参照番号を共有する投光照明コントローラ１０１のコンポーネントは必ずしも同一ではなく、代替実施形態のコンポーネントの記載に共通の参照番号を使用することは、それらのコンポーネントは、同一の場合もあるが、必ず同一であることを示唆すると解釈すべきではない。
【０１３１】
図１３を参照すると、投光照明コントローラ１０１は、投光照明コントローラ１０１の内部のコンポーネントを収容及び保護するハウジング２００を含んでよい。ハウジング２００は、前壁２０２、後壁２０４、対向する側壁２０６、２０８、上壁２１０、及び、先細の下部２１２を含んでよい。前壁２０２は、上部シールド２１６と下部グリル２１８とを受ける中央開口部２１４を含んでよい。図示の実施形態において、上部シールド２１６の前面と下部グリル２１８との前面とは、前壁２０２の前面とほぼ同一平面にあるが、代替実施形態においては、これらの表面は、互いに同一平面になくてもよい。上部シールド２１６は、投光照明コントローラ２００の周囲のエリアからオーディオをキャプチャするように第１のマイクロフォン２５８（図６）を露出させる第１のマイクロフォン開口部２６２も含んでよい。
【０１３２】
ある実施形態においては、上壁２１０は、ボタン２１１のための開口部を含んでよい。ボタン２１１は、プロセッサ１６２（図３）に動作可能に結合されてよく、ボタン１８２と類似の機能を有してよい。図１３に示すように、ボタン２１１は、上壁２１０の前端、または、その近くに配置されてよい。この位置であれば、投光照明コントローラ１０１が、投光照明アセンブリでは一般的なように、高い位置に配置されても、ボタン２１１は、ユーザが簡単にアクセスできるように露出されて有利である。さらに、ある実施形態においては、ボタン２１１は、ツールを必要とせずに、指で容易に押し下げ、押し下げを維持できるほど十分に大きくてよく、それによって、ボタン２１１が提供する便利さをさらに強化する。
【０１３３】
図１３をさらに参照すると、先細の下部２１２は、動きを検出するための、ＰＩＲセンサ２８２、２８４、２８６（図８）等（これらに限らない）、少なくとも１つのモーションセンサ１６８（図３）に入射ＩＲ光が到達するのを可能にする開口部２８９を含んでよい。ある実施形態においては、開口部２８９は、フレネルレンズ２９１を受けてよい。フレネルレンズ２９０に関して前述したように、凸形状のフレネルレンズ２９１は、ハウジング２００の下端の開口部２８９を覆って、閉じてよい。フレネルレンズ２９１は、入射ＩＲ光を集束させ、少なくとも１つのモーションセンサ１６８上に集めるように構成され、それによって、少なくとも１つのモーションセンサ１６８の有効性及び／または感度を向上させる。ある実施形態においては、先細の下部２１２は、以下にさらに詳細に記載するように、フレネルレンズ２９１を投光照明コントローラの前方または側方の周囲から入射ＩＲ光の大部分を集めるような角度をなすように構成されてよい。
【０１３４】
図１４及び図１５は、それぞれ、図１３の投光照明コントローラ１０１の右側立面図と左側立面図である。図１４を参照して前述したように、投光照明コントローラ１０１は、ハウジング２００の後壁２０４に固定された第１の接続部材２９６と投光照明装置２９４に固定されるように構成された第２の接続部材２９８とを含んでよい接続ハードウェア２９２を含んでよい（図１０）。ある実施形態においては、第１、第２の接続部材２９６、２９８は、玉継手３００で結合されてもよく、第１、第２の接続部材２９６、２９８が、互いに関節接合するように構成される。玉継手３００の反対側の第２の接続部材２９８の端部は、ねじ３０２を含んでよく、ねじ３０２は、投光照明装置２９４のねじ（図示せず）に係合して、投光照明コントローラ１０１を投光照明装置２９４に固定するように構成される。上記のように、第２の接続部材２９８が投光照明装置２９４に固定されると、玉継手３００は、カメラ１０４が任意の所望の方向を向くことができるように投光照明コントローラ１０１の向きを調整するのを可能にする。図１５を参照すると、ハウジング２００は、上記のように、第３のマイクロフォン開口部２６６を含んでよい。
【０１３５】
図１４及び図１５をさらに参照すると、先細の下部２１２はフレネルレンズ２９１を投光照明コントローラ１０１の前方及び側方の周囲の入射ＩＲ光を集めるような角度にするように構成されてよい。例えば、先細の下部２１２は後部２１３で長くてよく(ハウジング２００からさらに下方に延びる)、前部２１５で短くてよく、その結果、開口部２８９は、投光照明コントローラ１０１の垂直軸Ａに対して垂直でない平面Ｐ（図１４）にある。図１４を参照すると、平面Ｐは、ハウジング２００の後壁２０４から前壁２０２に向かって上方に傾斜する。このような実施形態において、開口部２８９は、垂直軸Ａに対する平面Ｐの向きによってフレネルレンズ２９１が投光照明コントローラ１０１の前方及び側方で後方よりも入射ＩＲ光をより多く受けるように、フレネルレンズ２９１を受けてよい。開口部２８９とフレネルレンズ２９１をこのように構成することによって、少なくとも１つのモーションセンサ１６８に当たる光のより多くの部分が、投光照明コントローラ１０１の前方または側方から来るのを可能にする。投光照明コントローラ１０１の前方または側方は、カメラ１０４の視野内のエリアなので、一般的に最も関心の高いエリアである。開口部２８９とフレネルレンズ２９１との構成は、従って、少なくとも１つのモーションセンサ１６８の有効性及び／または感度をさらに向上させる。投光照明コントローラ１０１の実施形態の特定の特徴及び／またはコンポーネントを図１３〜図１５を参照して記載したが、図４〜図１０を参照して記載した投光照明コントローラ１００の実施形態の特徴及び／またはコンポーネントのいずれかを図１３〜図１５に示す実施形態と共に使用してよい。
【０１３６】
ある実施形態においては、本投光照明コントローラは、（投光照明（複数可）３０６とは異なる）１つまたは複数の発光素子を含んでよい。例えば、図１６を参照すると、図示の投光照明コントローラ３５０は、ＰＩＲセンサ１６８間の投光照明コントローラ３５０の下端に配置された３つの発光素子３５２を含む。図示の実施形態において、発光素子３５２は、発光ダイオード(ＬＥＤ)を含むが、他の実施形態においては、発光素子３５２は、光を発する任意の他の種類のデバイスを含んでよい。さらに、図示の実施形態は、３つの発光素子３５２を含むが、代替実施形態は、１つ、２つ、または、４つ等、任意の数の発光素子３５２を含んでよい。ある実施形態においては、発光素子３５２は、青、赤、緑、または、任意の他の色、及び／または、色の組み合わせ等、様々な色の光を生成できるＬＥＤを含んでよい。
【０１３７】
発光素子３５２は、ＰＩＲセンサ１６８間の中央に位置するＬＥＤプリント基板（ＰＣＢ）３５４に結合される。ＬＥＤ  ＰＣＢ３５４は、リボンコネクタ３５６に接続され、リボンコネクタ３５６は、発光素子３５２をプロセッサ１６２に動作可能に結合する。発光素子３５２は、上記光インジケータ１８６（図３）と同じ機能があってよい。さらに、発光素子３５２は、侵入者に視覚的警告を与えるように構成されてよく、ユーザのクライアントデバイス１１４で実行するアプリケーションを通してユーザによって遠隔で制御されるようにさらに構成されてよい。例えば、図２を参照して前述したように、カメラ１０２、マイクロフォン１０４、及び／または、他のデバイス／センサによってキャプチャされたオーディオ及び／またはビデオデータが、ユーザのクライアントデバイス１１４にストリーミングされながら、ユーザは、ユーザのクライアントデバイス１１４を通して訪問者／侵入者と通信してよい。ユーザのクライアントデバイス１１４で実行するアプリケーションは、ユーザが発光素子３５２の動作（点灯）を遠隔で制御するための１つまたは複数の選択肢を提供してよい。例えば、アプリケーションは、敷地内または遠隔位置にいるユーザが発光素子３５２をオンにする、発光素子３５２の色を変える、発光素子３５２を点滅させる等を可能にする１つまたは複数のボタン（または、他の種類のコマンド／入力素子）を、ユーザのクライアントデバイス１１４のディスプレイに表示してよい。発光素子３５２が発した光は、視覚的インジケータまたは警告を訪問者／侵入者に提供し得る。例えば、安定したまたは点滅する赤い光（または、任意の他の色）は、侵入者を逃亡させ得る視覚的警告を侵入者に与えてよい。安定したまたは点滅する赤い光（または、任意の他の色）は、さらに、隣人または通行人に緊急事態の視覚的キューを提供してよく、視覚的キューは、他の人の助けまたは援助を引き付けて、侵入者を逃亡させる等によって、危険を軽減し得る。
【０１３８】
上記のように、スピーカ１０８は、投光照明コントローラ１００、３１０、３５０の周囲のエリアで動きが検出されると、スピーカ１０８の聞こえる範囲内にいる人を驚かせる及び／または追い払う、大きいビープ音、叫び声、わめき声、または、任意の他の種類の大きい音等、音を発するように構成されてよい。本投光照明コントローラのある実施形態においては、追い払う音（「サイレン」とも呼ばれてよい）は、ユーザのクライアントデバイス１１４で実行するアプリケーションを通してユーザによって遠隔で制御されてよい。例えば、ユーザがカメラ１０４からのライブビデオストリームを見ている時、アプリケーションは、ユーザがサイレンを作動するのを可能にする１つまたは複数のボタン（または、他の種類のコマンド／入力素子）をユーザのクライアントデバイス１１４のディスプレイに表示してよい。サイレンは、ある実施形態においては、１００ｄＢ以上等、とても大きい音量で音（複数可）を発するように構成されてよい。サイレンの作動は、スピーカ１０８の聞こえる範囲内にいる侵入者（複数可）を逃亡させ得るので有利である。
【０１３９】
上記のように、本実施形態は、有利なことに、ビデオ記録及び双方向オーディオ機能を投光照明コントローラに提供する。従って、本投光照明コントローラは、ユーザが投光照明コントローラを通して侵入者に直接、話しかけることができ、且つ、投光照明コントローラが撮影したビデオ映像を犯人の識別に使用できるので、一般的な投光照明装置よりも強力な犯罪抑止を提供する。ユーザが直接、侵入者に話しかけるのを可能にすることによって、侵入者が不法侵入している敷地内にユーザがいるという幻想を作り出す。これによって、侵入者が逃亡する可能性が高くなる。本実施形態の一部は、さらに、停電時、または、構造物へのＡＣ電力が故意に切断された時でさえ、ビデオを記録及び記憶する能力を備えるので有利である。ここでも、ＡＣ電力が利用できない時でさえ、投光照明コントローラが撮影したビデオ映像を犯人識別に使用できる。
【０１４０】
図１７は、本開示の様々な態様による、本実施形態を実施し得るクライアントデバイス８００の機能ブロック図である。図１を参照して記載したユーザのクライアントデバイス１１４は、クライアントデバイス８００のコンポーネント及び／または機能の一部または全てを含んでよい。クライアントデバイス８００は、例えば、スマートフォンを含んでよい。
【０１４１】
図１７を参照すると、クライアントデバイス８００は、プロセッサ８０２、メモリ８０４、ユーザインタフェース８０６、通信モジュール８０８、及び、データポート８１０を含む。これらのコンポーネントは、インターコネクトバス８１２によって通信可能に結合される。プロセッサ８０２は、ＡＲＭプロセッサ（Ａｄｖａｎｃｅｄ  ＲＩＳＣ  Ｍａｃｈｉｎｅｓ（ＡＲＭ）が開発したＲＩＳＣ（縮小命令セットコンピュータ）アーキテクチャに基づいたプロセッサ）等、スマートフォン及び／またはポータブルコンピューティングデバイスで使用される任意のプロセッサを含んでよい。ある実施形態においては、プロセッサ８０２は、１つまたは複数の従来のマイクロプロセッサ等の１つまたは複数の他のプロセッサ、及び／または、数値演算コプロセッサ等の１つまたは複数の補助コプロセッサを含んでよい。
【０１４２】
メモリ８０４は、ランダムアクセスメモリ（ＲＡＭ）等の動作メモリと、リードオンリメモリ（ＲＯＭ）、ハードドライブ、フラッシュメモリ、または、任意の他の適切なメモリ／記憶素子等のデータストレージとの両方を含んでよい。メモリ８０４は、コンパクトフラッシュ（登録商標）カード、マルチメディアカード（ＭＭＣ）、及び／または、セキュアデジタル（ＳＤ）カード等のリムーバブルメモリ素子を含んでよい。ある実施形態においては、メモリ８０４は、磁気、光学、及び／または、半導体メモリの組み合わせを含んでよく、例えば、ＲＡＭ、ＲＯＭ、フラッシュドライブ、及び／または、ハードディスクもしくはドライブを含んでよい。プロセッサ８０２とメモリ８０４は、それぞれ、例えば、１つのデバイス内に全て位置してもよく、または、ＵＳＢポート、シリアルポートケーブル、同軸ケーブル、Ｅｔｈｅｒｎｅｔ型ケーブル、電話線、無線周波数トランシーバ、または、他の類似の無線もしくは有線の媒体、または、これらの組み合わせ等、通信媒体によって互いに接続されてよい。例えば、プロセッサ８０２は、データポート８１０を介してメモリ８０４に接続されてよい。
【０１４３】
ユーザインタフェース８０６は、キーパッド、ディスプレイ画面、タッチスクリーン、マイクロフォン、及び、スピーカ等、スマートフォン及び／またはポータブルコンピューティングデバイスに適した任意のユーザインタフェースまたは提示素子を含んでよい。通信モジュール８０８は、クライアントデバイス８００と、他の外部デバイスまたは受信器との間の通信リンクを扱うように構成され、且つ、受信／送信データを適切にルーティングするように構成される。例えば、データポート８１０からのインバウンドデータは、通信モジュール８０８を通ってルーティングされた後、プロセッサ８０２に向けられてよく、プロセッサ８０２からのアウトバウンドデータは、通信モジュール８０８を通ってルーティングされた後、データポート８１０に向けられてよい。通信モジュール８０８は、データを送信及び受信でき、且つ、ＧＳＭ、ＵＭＴＳ（３ＧＳＭ）、ＩＳ−９５（ＣＤＭＡ  ｏｎｅ）、ＩＳ−２０００（ＣＤＭＡ２０００）、ＬＴＥ、ＦＤＭＡ、ＴＤＭＡ、Ｗ−ＣＤＭＡ、ＣＤＭＡ、ＯＦＤＭＡ、Ｗｉ−Ｆｉ（登録商標）、ＷｉＭＡＸ（登録商標）、または、任意の他のプロトコル及び／または技術等、例えば、１つまたは複数のプロトコル及び／または技術を用いることができる１つまたは複数のトランシーバモジュールを含んでよい。
【０１４４】
データポート８１０は、ミニＵＳＢポートまたはＩＰＨＯＮＥ（登録商標）／ＩＰＯＤ（登録商標）３０ピンコネクタまたはＬＩＧＨＴＮＩＮＧ（登録商標）コネクタ等、スマートフォン及び／またはポータブルコンピューティングデバイスと物理的にインタフェースするために使用される任意の種類のコネクタであってよい。他の実施形態においては、データポート８１０は、例えば、他のプロセッサ、サーバ、及び／または、クライアント端末と同時に通信するための複数の通信チャネルを含んでよい。
【０１４５】
メモリ８０４は、コンピュータ等の他のシステムと通信するための命令を記憶してよい。メモリ８０４は、本実施形態による、プロセッサ８０２に指図するように適合された、例えば、プログラム（例えば、コンピュータプログラムコード）を記憶してよい。命令は、オペレーティングシステム等のプログラム素子も含んでよい。プログラムの命令シーケンスを実行して、プロセッサ８０２に本明細書に記載のプロセスのステップを実行させる間、ハードワイヤード回路が、本実施形態のプロセスを実施するためのソフトウェア／ファームウェア命令の代わりに、または、それらと組み合わせて使用されてよい。従って、本実施形態は、ハードウェアとソフトウェアのどの特定の組み合わせにも限定されない。
【０１４６】
図１８は、本開示の様々な態様による、本実施形態を実施し得る汎用コンピューティングシステムの機能ブロック図である。コンピュータシステム９００は、パーソナルコンピュータ（デスクトップコンピュータとも呼ばれる）９００Ａ、ポータブルコンピュータ（ラップトップまたはノートブックコンピュータとも呼ばれる）９００Ｂ、及び／または、サーバ９００Ｃの少なくとも１つで実現されてよい。サーバは、他のマシンまたはソフトウェア（クライアント）からの要求を待ち、それに応答するコンピュータプログラム及び／またはマシンである。サーバは、一般的に、データを処理する。サーバの目的は、データ及び／またはハードウェア及び／またはソフトウェアリソースをクライアント間で共有することである。このアーキテクチャは、クライアント−サーバモデルと呼ばれる。クライアントは、同じコンピュータで実行してよく、または、ネットワークを介してサーバに接続されてよい。コンピューティングサーバの例は、データベースサーバ、ファイルサーバ、メールサーバ、プリントサーバ、ウェブサーバ、ゲームサーバ、及び、アプリケーションサーバを含む。サーバという語は、広義には、１つまたは複数のクライアントプロセスにリソースを共有する任意のコンピュータ化されたプロセスと解釈されてよい。
【０１４７】
コンピュータシステム９００は、上記動作の少なくとも一部を実行してよい。コンピュータシステム９００は、少なくとも１つのプロセッサ９１０、メモリ９２０、少なくとも１つの記憶装置９３０、及び、入力／出力（Ｉ／Ｏ）デバイス９４０を含んでよい。コンポーネント９１０、９２０、９３０、９４０の一部または全てが、システムバス９５０を介して相互に接続されてよい。プロセッサ９１０は、シングルスレッドまたはマルチスレッドであってよく、１つまたは複数のコアを有してよい。プロセッサ９１０は、メモリ９２０及び／または記憶装置９３０に記憶された命令等の命令を実行してよい。情報は、１つまたは複数のＩ／Ｏ装置９４０を用いて、受信、及び、出力されてよい。
【０１４８】
メモリ９２０は、情報を記憶してよく、揮発性または不揮発性のメモリ等のコンピュータ可読媒体であってよい。記憶装置（複数可）９３０は、システム９００にストレージを提供してよく、コンピュータ可読媒体であってよい。様々な態様において、記憶装置（複数可）９３０は、フラッシュメモリデバイス、ハードディスクデバイス、光ディスクデバイス、テープデバイス、または、任意の他の種類の記憶装置であってよい。
【０１４９】
Ｉ／Ｏ装置９４０は、システム９００に入力／出力動作を提供してよい。Ｉ／Ｏ装置９４０は、キーボード、ポインティングデバイス、及び／または、マイクロフォンを含んでよい。Ｉ／Ｏ装置９４０は、グラフィカルユーザインタフェースを表示するディスプレイユニット、スピーカ、及び／または、プリンタをさらに含んでよい。外部データは、１つまたは複数のアクセス可能な外部データベース９６０に記憶されてよい。
【０１５０】
本明細書に記載の本実施形態の特徴は、デジタル電子回路で、及び／または、コンピュータハードウェア、ファームウェア、ソフトウェアで、及び／または、これらの組み合わせで実施されてよい。本実施形態の特徴は、プログラマブルプロセッサによって実行するために、機械可読記憶装置等の情報担体で有形に実現されるコンピュータプログラム製品及び／または、伝搬信号で実施されてよい。本方法のステップの実施形態は、命令のプログラムを実行するプログラマブルプロセッサによって行われて、入力データに作用して、出力を生成することによって記載の実施態様の機能を行ってよい。
【０１５１】
本明細書に記載の本実施形態の特徴は、データストレージシステム、少なくとも１つの入力装置、及び、少なくとも１つの出力装置とデータ及び／または命令を送受信するように結合された少なくとも１つのプログラマブルプロセッサを含むプログラマブルシステムで実行可能な１つまたは複数のコンピュータプログラムで実施されてよい。コンピュータプログラムは、命令セットを含んでよく、命令セットをコンピュータで直接または間接に使用して、ある一定のアクティビティを行ってよい、または、ある一定の結果をもたらしてよい。コンピュータプログラムは、コンパイラ型またはインタプリタ型言語を含む任意の形態のプログラミング言語で書かれてよく、スタンドアロンプログラムとして、または、モジュール、コンポーネント、サブルーチン、または、コンピューティング環境での使用に適した他のユニットとして、を含む、任意の形態でデプロイされてよい。
【０１５２】
命令のプログラムを実行するのに適切なプロセッサは、例えば、汎用及び専用プロセッサの両方、及び／または、任意の種類のコンピュータの単一プロセッサ、または、マルチプロセッサのうちの１つを含んでよい。一般的に、プロセッサは、リードオンリメモリ（ＲＯＭ）、ランダムアクセスメモリ（ＲＡＭ）、または、その両方から命令及び／またはデータを受信してよい。このようなコンピュータは、命令を実行するためのプロセッサと、命令及び／またはデータを記憶するための１つまたは複数のメモリとを含んでよい。
【０１５３】
一般的に、コンピュータは、データファイルを記憶するための１つまたは複数の大容量記憶装置も含んでよい、または、それらと通信するように動作可能に結合されてよい。このようなデバイスは、内部ハードディスク及び／またはリムーバブルディスク等の磁気ディスク、光磁気ディスク、及び／または、光ディスクを含む。コンピュータプログラム命令及び／またはデータを有形に実現するのに適した記憶装置は、例えば、ＥＰＲＯＭ、ＥＥＰＲＯＭ、及び、フラッシュメモリデバイス等の半導体メモリデバイス、内部ハードディスク及びリムーバブルディスク等の磁気ディスク、光磁気ディスク、ならびにＣＤ−ＲＯＭディスク、及び、ＤＶＤ−ＲＯＭディスク等を含む、あらゆる形態の不揮発メモリを含んでよい。プロセッサとメモリは、１つまたは複数のＡＳＩＣ（特定用途向け集積回路）で補完されてよい、または、ＡＳＩＣに組み込まれてよい。
【０１５４】
ユーザとのインタラクションを提供するために、本実施形態の特徴は、情報をユーザに表示するためのＬＣＤ（液晶ディスプレイ）モニタ等のディスプレイデバイスを有するコンピュータで実施されてよい。コンピュータは、ユーザがコンピュータに入力を行い得るキーボード、マウスもしくはトラックボール等のポインティングデバイス、及び／または、タッチスクリーンをさらに含んでよい。
【０１５５】
本実施形態の特徴は、データサーバ等のバックエンドコンポーネントを含むコンピュータシステムで、及び／または、アプリケーションサーバまたはインターネットサーバ等のミドルウェアコンポーネントを含むコンピュータシステムで、及び／または、グラフィカルユーザインタフェース（ＧＵＩ）及び／またはインターネットブラウザを有するクライアントコンピュータ等のフロントエンドコンポーネントを含むコンピュータシステムで、または、これらの任意の組み合わせで実施されてよい。システムのコンポーネントは、通信ネットワーク等の任意の形態または媒体のデジタルデータ通信によって接続されてよい。通信ネットワークの例は、例えば、ＬＡＮ（ローカルエリアネットワーク）、ＷＡＮ（広域ネットワーク）、及び／または、インターネットを形成するコンピュータとネットワークを含んでよい。
【０１５６】
コンピュータシステムは、クライアントとサーバを含んでよい。クライアントとサーバは、互いに遠隔にあってよく、本明細書に記載のネットワーク等、ネットワークを通してインタラクトしてよい。クライアントとサーバとの間の関係は、各コンピュータで実行し、互いにクライアント−サーバ関係を有するコンピュータプログラムによって生じ得る。
【０１５７】
上記の説明は、本実施形態を行うために企図された最良の形態と、それらを実践する方法及びプロセスを、当業者がこれらの実施形態を実践できるように、完全、明瞭、簡潔、且つ正確な用語で表す。しかしながら本実施形態は、上記の実施形態と完全に同等な修正及び代替構成が許容される。結果として、本発明は、開示された特定の実施形態に限定されない。逆に、本発明は、本開示の趣旨及び範囲内にある全ての修正及び代替構成を含む。例えば、本明細書に記載のプロセスのステップは、提示したのと同じ順序で行われる必要はなく、任意の順序（複数可）で行われてよい。さらに、別々に行われるとして提示したステップは、代替実施形態においては同時に行われてよい。同様に、同時に行われるとして提示したステップは、代替実施形態においては別々に行われてよい。
【図１】
2019530130.tif 000003
【図２】
2019530130.tif 000004
【図３】
2019530130.tif 000005
【図４】
2019530130.tif 000006
【図５】
2019530130.tif 000007
【図６】
2019530130.tif 000008
【図７】
2019530130.tif 000009
【図８】
2019530130.tif 000010
【図９】
2019530130.tif 000011
【図１０】
2019530130.tif 000012
【図１１】
2019530130.tif 000013
【図１２】
2019530130.tif 000014
【図１３】
2019530130.tif 000015
【図１４】
2019530130.tif 000016
【図１５】
2019530130.tif 000017
【図１６】
2019530130.tif 000018
【図１７】
2019530130.tif 000019
【図１８】
2019530130.tif 000020
【国際調査報告】
2019530130.tif 000021
2019530130.tif 000022